(57)【要約】      （修正有）【課題】広画角かつ高解像で広角端における焦点距離が１２．３ｍｍ以下の負先行型変倍光学系、光学機器、及び変倍光学系の製造方法の提供。【解決手段】物体側から順に負の屈折力を有する第１レンズ群Ｇ１と、第１レンズ群より像側に少なくとも１つのレンズ群を有する後群とを有し、後群は最も物体側に正の屈折力を有する第１正レンズ群を有し、変倍時に、隣り合う各レンズ群の間隔が変化し、第１レンズ群は、物体側から順に、物体側に凸面を向けた負メニスカスレンズＬ１１、物体側に凸面を向けた負メニスカスレンズＬ１２、負レンズＬ１３を配置し、少なくとも１枚の正レンズを有し、特定の条件式を満たす。【選択図】図１
2020170054.tif 000002
【特許請求の範囲】
【請求項１】
物体側から順に、負の屈折力を有する第１レンズ群と、前記第１レンズ群より像側に少なくとも１つのレンズ群を有する後群とを有し、前記後群は最も物体側に正の屈折力を有する第１正レンズ群を有し、
変倍時に、隣り合う各レンズ群の間隔が変化し、
前記第１レンズ群は、物体側から順に、物体側に凸面を向けた負メニスカスレンズＬ１、物体側に凸面を向けた負メニスカスレンズＬ２、負レンズＬ３を配置し、少なくとも１枚の正レンズを有し、
以下の条件式を満足する変倍光学系。
０．５０  ＜  （−ｆ１）／ｆｗ  ＜  ５．３０  
２ωｗ  ＞  １２０．０°
−６．５０  ＜  （Ｌ１ｒ２＋Ｌ１ｒ１）/（Ｌ１ｒ２−Ｌ１ｒ１）  ＜  −３．２０
但し、
ｆ１：前記第１レンズ群の焦点距離、
ｆｗ：広角端の焦点距離、
ωｗ：広角端でのズームレンズ全体の半画角（単位：度）、
Ｌ１ｒ１：前記負メニスカスレンズＬ１の物体側面の曲率半径、
Ｌ１ｒ２：前記負メニスカスレンズＬ１の像側面の曲率半径。
【請求項２】
前記第１レンズ群は、全体で５枚以上のレンズを有する請求項１に記載の変倍光学系。
【請求項３】
以下の条件式を満足する請求項１または２に記載の変倍光学系。
１．００  ＜  ｆ２／ｆｗ  ＜  ２２．５０
但し、
ｆ２：前記第１正レンズ群の焦点距離。
【請求項４】
以下の条件式を満足する請求項１〜３のいずれか一項に記載の変倍光学系。
Ｂｆｗ/ｆｗ    ＜  ２．００
但し、
Ｂｆｗ：広角端のバックフォーカス。
【請求項５】
以下の条件式を満足する請求項１〜４のいずれか一項に記載の変倍光学系。
０．０５  ＜  （−ｆ１）／ｆ２  ＜  １．５０
但し、
ｆ２：前記第１正レンズ群の焦点距離。
【請求項６】
以下の条件式を満足する請求項１〜５のいずれか一項に記載の変倍光学系。
−５．００  ＜  （Ｌ２ｒ２＋Ｌ２ｒ１）/（Ｌ２ｒ２−Ｌ２ｒ１）  ＜  −０．５０
但し、
Ｌ２ｒ１：前記負メニスカスレンズＬ２の物体側面の曲率半径、
Ｌ２ｒ２：前記負メニスカスレンズＬ２の像側面の曲率半径。
【請求項７】
以下の条件式を満足する請求項１〜６のいずれか一項に記載の変倍光学系。
１．００  ＜  （Ｌ２ｒ１＋Ｌ１ｒ２）/（Ｌ２ｒ１−Ｌ１ｒ２）  ＜  ２０．００
但し、
Ｌ１ｒ２：前記負メニスカスレンズＬ１の像側面の曲率半径、
Ｌ２ｒ１：前記負メニスカスレンズＬ２の物体側面の曲率半径。
【請求項８】
以下の条件式を満足する請求項１〜７のいずれか一項に記載の変倍光学系。
１．００  ＜  ｆＬ２／ｆ１  ＜  ３．００      
但し、
ｆＬ２：前記負メニスカスレンズＬ２の焦点距離。
【請求項９】
以下の条件式を満足する請求項１〜８のいずれか一項に記載の変倍光学系。
３．００  ＜  ｆＬ１／ｆ１  ＜  １２．００  
但し、
ｆＬ１：前記負メニスカスレンズＬ１の焦点距離。
【請求項１０】
前記正レンズが前記負レンズＬ３と接合されている請求項１〜９のいずれか一項に記載の変倍光学系。
【請求項１１】
前記第１レンズ群が少なくとも１枚の非球面レンズを有する請求項第１〜１０のいずれか一項に記載の変倍光学系。
【請求項１２】
合焦に際し、少なくとも１枚のレンズ成分が光軸方向に移動する合焦レンズ群である請求項１〜１１のいずれか一項に記載の変倍光学系。
【請求項１３】
合焦に際し、互いに間隔が変化し、光軸方向に移動する第１合焦レンズ群と第２合焦レンズ群を有し、
以下の条件式を満足する請求項１〜１２のいずれか一項に記載の変倍光学系。
０．５０  ＜  ｜ｆＦ１／ｆＦ２｜  ＜  １．５０
但し、
ｆＦ１：前記第１合焦レンズ群の焦点距離、
ｆＦ２：前記第２合焦レンズ群の焦点距離。
【請求項１４】
合焦に際し、互いの間隔が変化し、光軸方向に移動する第１合焦レンズ群と第２合焦レンズ群を有し、
以下の条件式を満足する請求項１から１２のいずれか一項に記載の変倍光学系。
０．５０  ＜−（ｆＦ１／ｆＦ２）＜  １．５０
但し、
ｆＦ１：前記第１合焦レンズ群の焦点距離、
ｆＦ２：前記第２合焦レンズ群の焦点距離。
【請求項１５】
請求項１〜１４のいずれか一項に記載の変倍光学系を搭載する光学機器。
【請求項１６】
物体側から順に負の屈折力を有する第１レンズ群と、前記第１レンズ群より像側に少なくとも１つのレンズ群を有する後群とを有し、前記後群は最も物体側に正の屈折力を有する第１正レンズ群を有する変倍光学系の製造方法であって、
変倍時に、隣り合う各レンズ群の間隔が変化するように配置し、
前記第１レンズ群は、物体側から順に、物体側に凸面を向けた負メニスカスレンズＬ１、物体側に凸面を向けた負メニスカスレンズＬ２、負レンズＬ３を配置し、少なくとも１枚の正レンズを有するように配置し、
以下の条件式を満足するように配置する変倍光学系の製造方法。
０．５０  ＜  （−ｆ１）／ｆｗ  ＜  ５．３０  
２ωｗ  ＞  １２０．０°
−６．５０  ＜  （Ｌ１ｒ２＋Ｌ１ｒ１）/（Ｌ１ｒ２−Ｌ１ｒ１）  ＜  −３．２０
但し、
ｆ１：前記第１レンズ群の焦点距離、
ｆｗ：広角端の焦点距離、
ωｗ：広角端でのズームレンズ全体の半画角（単位：度）、
Ｌ１ｒ１：前記負メニスカスレンズＬ１の物体側面の曲率半径、
Ｌ１ｒ２：前記負メニスカスレンズＬ１の像側面の曲率半径。
【発明の詳細な説明】
【技術分野】
【０００１】
本発明は、デジタルカメラ、フィルムカメラ、ビデオカメラ等の撮影光学系に適した変倍光学系、光学機器、及び変倍光学系の製造方法に関する。
【背景技術】
【０００２】
従来より、負先行型の広角変倍光学系は多数提案されている（特許文献１）。しかし、広角端における焦点距離が１２．３ｍｍ以下の超広角変倍光学系の提案はまだ少ない。
また、より広画角のものが求められるようになってきている。さらに近年はカメラのデジタル化に伴い、より高い光学性能が必要とされるようになっている。
【先行技術文献】
【特許文献】
【０００３】
【特許文献１】特開２０１６−７５７４１号公報
【発明の概要】
【０００４】
第一の形態に係る変倍光学系は、物体側から順に負の屈折力を有する第１レンズ群と、前記第１レンズ群より像側に少なくとも１つのレンズ群を有する後群とを有し、前記後群は最も物体側に正の屈折力を有する第１正レンズ群を有し、変倍時に、隣り合う各レンズ群の間隔が変化し、前記第１レンズ群は、物体側から順に、物体側に凸面を向けた負メニスカスレンズＬ１、物体側に凸面を向けた負メニスカスレンズＬ２、負レンズＬ３を配置し、少なくとも１枚の正レンズを有し、以下の条件式を満足する変倍光学系を提供する。
０．５０  ＜  （−ｆ１）／ｆｗ  ＜  ５．３０  
２ωｗ  ＞  １２０．０°
−６．５０  ＜  （Ｌ１ｒ２＋Ｌ１ｒ１）/（Ｌ１ｒ２−Ｌ１ｒ１）  ＜  −３．２０
但し、
ｆ１：前記第１レンズ群の焦点距離、
ｆｗ：広角端の焦点距離、
ωｗ：広角端でのズームレンズ全体の半画角（単位：度）、
Ｌ１ｒ１：前記負メニスカスレンズＬ１の物体側面の曲率半径、
Ｌ１ｒ２：前記負メニスカスレンズＬ１の像側面の曲率半径。
【０００５】
また、第二の形態に係る光学機器は、前記変倍光学系を搭載する。
【０００６】
また、第三の形態に係る変倍光学系の製造方法は、物体側から順に負の屈折力を有する第１レンズ群と、前記第１レンズ群より像側に少なくとも１つのレンズ群を有する後群とを有し、前記後群は最も物体側に正の屈折力を有する第１正レンズ群を有する変倍光学系の製造方法であって、変倍時に、隣り合う各レンズ群の間隔が変化するように配置し、前記第１レンズ群は、物体側から順に、物体側に凸面を向けた負メニスカスレンズＬ１、物体側に凸面を向けた負メニスカスレンズＬ２、負レンズＬ３を配置し、少なくとも１枚の正レンズを有するように配置し、以下の条件式を満足するように配置する。
０．５０  ＜  （−ｆ１）／ｆｗ  ＜  ５．３０  
２ωｗ  ＞  １２０．０°
−６．５０  ＜  （Ｌ１ｒ２＋Ｌ１ｒ１）/（Ｌ１ｒ２−Ｌ１ｒ１）  ＜  −３．２０
但し、
ｆ１：前記第１レンズ群の焦点距離、
ｆｗ：広角端の焦点距離、
ωｗ：広角端でのズームレンズ全体の半画角（単位：度）、
Ｌ１ｒ１：前記負メニスカスレンズＬ１の物体側面の曲率半径、
Ｌ１ｒ２：前記負メニスカスレンズＬ１の像側面の曲率半径。
【図面の簡単な説明】
【０００７】
【図１】実施例１に係る変倍光学系の無限遠合焦状態における光学系断面図及び変倍時の移動軌跡である。
【図２】実施例１に係る変倍光学系の無限遠合焦状態における広角端の諸収差図である。
【図３】実施例１に係る変倍光学系の無限遠合焦状態における望遠端の諸収差図である。
【図４】実施例１に係る変倍光学系の近距離合焦状態（β＝−０．０２５）における広角端の諸収差図である。
【図５】実施例１に係る変倍光学系の近距離合焦状態（β＝−０．０２５）における望遠端の諸収差図である。
【図６】実施例２に係る変倍光学系の無限遠合焦状態における光学系断面図及び変倍時の移動軌跡である。
【図７】実施例２に係る変倍光学系の無限遠合焦状態における広角端の諸収差図である。
【図８】実施例２に係る変倍光学系の無限遠合焦状態における望遠端の諸収差図である。
【図９】実施例２に係る変倍光学系の近距離合焦状態（β＝−０．０２５）における広角端の諸収差図である。
【図１０】実施例２に係る変倍光学系の近距離合焦状態（β＝−０．０２５）における望遠端の諸収差図である。
【図１１】実施例３に係る変倍光学系の無限遠合焦状態における光学系断面図及び変倍時の移動軌跡である。
【図１２】実施例３に係る変倍光学系の無限遠合焦状態における広角端の諸収差図である。
【図１３】実施例３に係る変倍光学系の無限遠合焦状態における望遠端の諸収差図である。
【図１４】実施例３に係る変倍光学系の近距離合焦状態（β＝−０．０２５）における広角端の諸収差図である。
【図１５】実施例３に係る変倍光学系の近距離合焦状態（β＝−０．０２５）における望遠端の諸収差図である。
【図１６】実施例４に係る変倍光学系の無限遠合焦状態における光学系断面図及び変倍時の移動軌跡である。
【図１７】実施例４に係る変倍光学系の無限遠合焦状態における広角端の諸収差図である。
【図１８】実施例４に係る変倍光学系の無限遠合焦状態における望遠端の諸収差図である。
【図１９】実施例４に係る変倍光学系の近距離合焦状態（β＝−０．０２５）における広角端の諸収差図である。
【図２０】実施例４に係る変倍光学系の近距離合焦状態（β＝−０．０２５）における望遠端の諸収差図である。
【図２１】実施例５に係る変倍光学系の無限遠合焦状態における光学系断面図及び変倍時の移動軌跡である。
【図２２】実施例５に係る変倍光学系の無限遠合焦状態における広角端の諸収差図である。
【図２３】実施例５に係る変倍光学系の無限遠合焦状態における望遠端の諸収差図である。
【図２４】実施例５に係る変倍光学系の近距離合焦状態（β＝−０．０２５）における広角端の諸収差図である。
【図２５】実施例５に係る変倍光学系の近距離合焦状態（β＝−０．０２５）における望遠端の諸収差図である。
【図２６】実施例６に係る変倍光学系の無限遠合焦状態における光学系断面図及び変倍時の移動軌跡である。
【図２７】実施例６に係る変倍光学系の無限遠合焦状態における広角端の諸収差図である。
【図２８】実施例６に係る変倍光学系の無限遠合焦状態における望遠端の諸収差図である。
【図２９】実施例６に係る変倍光学系の近距離合焦状態（β＝−０．０２５）における広角端の諸収差図である。
【図３０】実施例６に係る変倍光学系の近距離合焦状態（β＝−０．０２５）における望遠端の諸収差図である。
【図３１】実施例７に係る変倍光学系の無限遠合焦状態における光学系断面図及び変倍時の移動軌跡である。
【図３２】実施例７に係る変倍光学系の無限遠合焦状態における広角端の諸収差図である。
【図３３】実施例７に係る変倍光学系の無限遠合焦状態における望遠端の諸収差図である。
【図３４】実施例７に係る変倍光学系の近距離合焦状態（β＝−０．０２５）における広角端の諸収差図である。
【図３５】実施例７に係る変倍光学系の近距離合焦状態（β＝−０．０２５）における望遠端の諸収差図である。
【図３６】実施例８に係る変倍光学系の無限遠合焦状態における光学系断面図及び変倍時の移動軌跡である。
【図３７】実施例８に係る変倍光学系の無限遠合焦状態における広角端の諸収差図である。
【図３８】実施例８に係る変倍光学系の無限遠合焦状態における望遠端の諸収差図である。
【図３９】実施例８に係る変倍光学系の近距離合焦状態（β＝−０．０２５）における広角端の諸収差図である。
【図４０】実施例８に係る変倍光学系の近距離合焦状態（β＝−０．０２５）における望遠端の諸収差図である。
【図４１】上記変倍光学系を搭載したカメラの断面図である。
【図４２】上記変倍光学系の製造方法を説明するためのフローチャートである。
【発明を実施するための形態】
【０００８】
以下、本実施形態に係る変倍光学系、光学機器、及び変倍光学系の製造方法について説明する。
【０００９】
本実施形態に係る変倍光学系は、図１、図６、図１１、図１６、図２１、図２６、図３１、図３６に示すように、物体側から順に、負の屈折力を有する第１レンズ群Ｇ１と、前記第１レンズ群Ｇ１より像側に少なくとも１つのレンズ群を有する後群とを有し、後群は最も物体側に正の屈折力を有する第１正レンズ群を有して構成されている。また、この変倍光学系は変倍時に、隣り合う各レンズ群の間隔を変化させることで変倍時の良好な収差補正を図ることができる。
【００１０】
さらに、第１レンズ群Ｇ１は、物体側から順に、物体側に凸面を向けた負メニスカスレンズＬ１、物体側に凸面を向けた負メニスカスレンズＬ２、負レンズＬ３を配置することで、広画角に対応し、良好な収差補正が可能となる。特に、歪曲収差と像面湾曲に有効である。
【００１１】
また、第１レンズ群Ｇ１に少なくとも１枚の正レンズを有し、以下の条件式（１）、（２）及び（３）を満足することで、さらに良好な収差補正を可能としている。
０．５０  ＜  （−ｆ１）／ｆｗ  ＜  ５．３０                              （１）
２ωｗ  ＞  １２０．０°                                                  （２）
−６．５０ ＜（Ｌ１ｒ２＋Ｌ１ｒ１）/（Ｌ１ｒ２−Ｌ１ｒ１）＜ −３．２０   （３）
但し、
ｆ１：前記第１レンズ群Ｇ１の焦点距離、
ｆｗ：広角端の焦点距離、
ωｗ：広角端でのズームレンズ全体の半画角（単位：度）、
Ｌ１ｒ１：前記負メニスカスレンズＬ１の物体側面の曲率半径、
Ｌ１ｒ２：前記負メニスカスレンズＬ１の像側面の曲率半径。
【００１２】
ここで、条件式（１）は広角端状態における第１レンズ群Ｇ１の焦点距離と全系の焦点距離との適切なパワーバランスを規定するものである。この条件式（１）の範囲内であると、像面湾曲や歪曲収差の発生が小さくなるため好ましい。条件式（１）の上限値を上回ると、全系の焦点距離に対して相対的に第１レンズ群Ｇ１の焦点距離が大きくなり、光学系全体が大きくなる。
条件式（１）の効果をより確実にするために、条件式（１）の上限値を５．００とすることが好ましく、４．５０、４．００、３．５０、３．３０、３．００、２．８０、２．５０、２．３０、さらに２．２０であることがより好ましい。
【００１３】
条件式（１）の下限値を下回ると、全系の焦点距離に対して相対的に第１レンズ群Ｇ１の焦点距離が小さくなる結果、第１レンズ群Ｇ１の相対的パワーが強すぎ、収差補正が困難となる。特に像面湾曲への影響が大きくなる。
条件式（１）の効果をより確実にするために、条件式（１）の下限値を０．６０とすることが好ましく、０．８０、１．００、１．２０、１．４０、１．５０、１．６０、さらに１．６５であることがより好ましい。
【００１４】
また、条件式（２）は広角端状態での変倍光学系の全画角２ω（単位：度）を規定している。条件式（２）を満たすことで、広画角な変倍光学系とすることができる。
本実施形態に係る変倍光学系をより広画角とするために、条件式（２）の下限値を１２１．０°とすることが好ましく、１２２．０°、さらに１２３．０°であることがより好ましい。
【００１５】
さらに、条件式（３）は前記負メニスカスレンズＬ１の形状因子の適正範囲を規定しており、条件式（３）を満たすと、変倍時の球面収差とコマ収差の変動が良好に補正（抑制）された変倍光学系を達成できる。
この条件式の下限を下回った場合、コマ収差、非点収差が悪化他、曲率がきつくなりすぎ、加工が困難となり、好ましくない。
条件式（３）の効果をより確実にするために、条件式（３）の下限値を−６．４５とすることが好ましく、−６．４０、−６．３８、−６．３５、−６．３０、−６．２５、−６．２０、−６．１５、−６．１０、さらに−６．０５であることがより好ましい。
【００１６】
条件式（３）の上限を上回った場合もコマ収差、非点収差が悪化するため、好ましくない。条件式（３）の効果をより確実にするために、条件式（３）の上限値を−３．３０とすることが好ましく、−３．４０、−３．５０、−３．６０、−３．７０、−３．８０、−３．９０、さらに−４．００であることがより好ましい。
【００１７】
これら条件式（１）、（２）及び（３）を満たすことによって、広角端における焦点距離が１２．３ｍｍ以下の超広画角な負先行型変倍光学系を実現することができる。
【００１８】
また本実施形態に係る変倍光学系は、第１レンズ群Ｇ１が全体で５枚以上のレンズを有することが望ましい。
【００１９】
第１レンズ群Ｇ１が全体で５枚以上のレンズを有することで、超広角の領域における合焦時の収差変動、特に歪曲収差と像面湾曲を十分に抑えることができる。
【００２０】
また本実施形態に係る変倍光学系は以下の条件式（４）を満足することが望ましい。
１．００  ＜  ｆ２／ｆｗ  ＜  ２２．５０    （４）
但し、
ｆ２：前記第１正レンズ群の焦点距離。
【００２１】
条件式（４）は広角端状態における第１正レンズ群の焦点距離と全系の焦点距離との適切なパワーバランスを規定するものである。本実施形態に係る変倍光学系は、条件式（４）を満足することにより、レンズ全体の小型化と、像面湾曲、歪曲収差、及び球面収差の良好な補正を両立することができる。条件式（４）の上限値を上回ると、全系の焦点距離に対して相対的に第１正レンズ群の焦点距離が大きくなり、光学系全体が大きくなる。
条件式（４）の効果をより確実にするために、条件式（４）の上限値を２０．００とすることが好ましく、１８．００、１５．００、１３．００、１０．００、９．００、８．００、７．５０、７．００、６．５０、さらに６．００であることがより好ましい。
条件式（４）の下限値を下回ると、全系の焦点距離に対して相対的に第１正レンズ群の焦点距離が小さくなる結果、第１正レンズ群の相対的パワーが強すぎてしまい、諸収差の補正が困難となる。特に像面湾曲への影響が大きくなる。
条件式（４）の効果をより確実にするために、条件式（４）の下限値を１．３０とすることが好ましく、１．５０、１．８０、２．００、２．３０、２．５０、２．７５、３．００、さらに３．１０であることがより好ましい。
【００２２】
また本実施形態に係る変倍光学系は、以下の条件式（５）を満足することが望ましい。
Ｂｆｗ／ｆｗ  ＜  ２．００                      （５）
但し、
Ｂｆｗ：広角端のバックフォーカス。
【００２３】
条件式（５）は広角端状態におけるバックフォーカスと全系の焦点距離との関係を規定している。
条件式（５）を満たすことで、諸収差の発生を抑制して適度な長さのバックフォーカスとすることができる。条件式（５）の上限値を上回ると、広角端状態におけるバックフォーカスが長くなる結果、変倍光学系全体が大型化してしまう。また、第１レンズ群Ｇ１と後群との配置位置関係が適切でなくなり、像面湾曲と非点収差の発生量が増加する。
条件式（５）の効果をより確実にするために、条件式（５）の上限値を１．９０とすることが好ましく、１．８０、１．７５、１．７０、１．６５、１．６０、１．５５、１．５０、１．４５、１．４０、さらに１．３８であることがより好ましい。
【００２４】
０．０５  ＜  （−ｆ１）／ｆ２  ＜  １．５０    （６）
但し、
ｆ２：前記第１正レンズ群の焦点距離。
【００２５】
条件式（６）は第１レンズ群Ｇ１の焦点距離と第１正レンズ群の焦点距離との適切なパワーバランスを規定するものである。この条件式（６）の範囲内であると、像面湾曲や歪曲収差の発生が小さい適度な大きさの光学系となるため好ましい。条件式（６）の上限値を上回ると、第１正レンズ群の焦点距離に対して相対的に第１レンズ群Ｇ１の焦点距離が大きくなり、変倍光学系全体が大きくなる。
条件式（６）の効果をより確実にするために、条件式（６）の上限値を１．４０とすることが好ましく、１．２０、１．００、０．９０、０．８０、０．７５、０．７０、さらに０．６５であることがより好ましい。
条件式（６）の下限値を下回ると、第１正レンズ群の焦点距離に対して相対的に第１レンズ群Ｇ１の焦点距離が小さくなる結果、第１レンズ群Ｇ１の相対的パワーが強すぎてしまい、収差補正が困難となる。特に像面湾曲への影響が大きくなる。
条件式（６）の効果をより確実にするために、条件式（６）の下限値を０．１０とすることが好ましく、０．１５、０．１８、０．２０、０．２３、０．２５、０．２７、さらに０．２９であることがより好ましい。
【００２６】
また本実施形態に係る変倍光学系は以下の条件式（７）を満足することが望ましい。
−５．００ ＜（Ｌ２ｒ２＋Ｌ２ｒ１）/（Ｌ２ｒ２−Ｌ２ｒ１）＜ −０．５０   （７）
但し、
Ｌ２ｒ１  ：前記負メニスカスレンズＬ２の物体側面の曲率半径、
Ｌ２ｒ２  ：前記負メニスカスレンズＬ２の像側面の曲率半径。
【００２７】
条件式（７）は前記負メニスカスレンズＬ２の形状因子の適正範囲を規定しており、条件式（７）を満たすと、変倍時の球面収差とコマ収差の変動が良好に補正（抑制）された変倍光学系を達成できる。
この条件式の下限を下回った場合、コマ収差、非点収差が悪化する他、曲率がきつくなりすぎ、加工が困難となり、好ましくない。
条件式（７）の効果をより確実にするために、条件式（７）の下限値を−４．５０とすることが好ましく、−４．３０、−４．００、−３．８０、−３．５０、−３．３０、−３．００、−２．８０、−２．６０、さらに−２．５０であることがより好ましい。
条件式（７）の上限を上回った場合もコマ収差、非点収差が悪化するため、好ましくない。
条件式（７）の効果をより確実にするために、条件式（７）の上限値を−０．６０とすることが好ましく、−０．８０、−１．００、−１．２０、−１．４０、−１．５０、−１．６０、−１．７０、さらに−１．８０であることがより好ましい。
【００２８】
また本実施形態に係る変倍光学系は以下の条件式（８）を満足することが望ましい。
１．００ ＜（Ｌ２ｒ１＋Ｌ１ｒ２）/（Ｌ２ｒ１−Ｌ１ｒ２）＜ ２０．００    （８）
但し、
Ｌ１ｒ２  ：前記負メニスカスレンズＬ１の像側面の曲率半径、
Ｌ２ｒ１  ：前記負メニスカスレンズＬ２の物体側面の曲率半径。
【００２９】
条件式（８）は、第１レンズ群Ｇ１において、前記負メニスカスレンズＬ１と、前記負メニスカスレンズＬ２の間の空気間隔を空気レンズとみなしたときの空気レンズの形状因子の適正範囲を規定しており、条件式（８）を満たすと、変倍時の球面収差とコマ収差の変動が良好に補正（抑制）された変倍光学系を達成できる。
この条件式の下限を下回った場合、コマ収差、非点収差が悪化するため、好ましくない。
条件式（８）の効果をより確実にするために、条件式（８）の下限値を２．００とすることが好ましく、３．００、４．００、４．５０、５．００、５．５０、６．００、６．２０、さらに６．４０であることがより好ましい。
条件式（８）の上限を上回った場合もコマ収差、非点収差が悪化するため、好ましくない。
条件式（８）の効果をより確実にするために、条件式（８）の上限値を１９．００とすることが好ましく、１８．００、１６．００、１４．００、１３．５０、１３．００、１２．００、１１．００、さらに１０．００であることがより好ましい。
【００３０】
また本実施形態に係る変倍光学系は、以下の条件式（９）を満足することが望ましい。
１．００  ＜  ｆＬ２／ｆ１  ＜  ３．００      （９）
但し、
ｆＬ２：前記負メニスカスレンズＬ２の焦点距離。
【００３１】
条件式（９）は負メニスカスレンズＬ２の焦点距離と第１レンズ群Ｇ１の焦点距離との適切なパワーバランスを規定するものである。この条件式（９）の範囲内であると、変倍領域全体にわたり倍率色収差や歪曲収差の発生が小さくなるため好ましい。条件式（９）の上限値を上回ると、第１レンズ群Ｇ１の焦点距離に対して相対的に負メニスカスレンズＬ２の焦点距離が大きくなり、光学系全体が大きくなる。
条件式（９）の効果をより確実にするために、条件式（９）の上限値を２．９０とすることが好ましく、２．８０、２．７０、２．６５、２．６０、２．５５、２．５０、さらに２．４５であることがより好ましい。
【００３２】
条件式（９）の下限値を下回ると、第１レンズ群Ｇ１の焦点距離に対して相対的に負メニスカスレンズＬ２の焦点距離が小さくなる結果、負メニスカスレンズＬ２の相対的パワーが強すぎ、収差補正が困難となる。特に像面湾曲への影響が大きくなる。
条件式（９）の効果をより確実にするために、条件式（９）の下限値を１．２０とすることが好ましく、１．４０、１．５０、１．６０、１．７０、さらに１．８０であることがより好ましい。
【００３３】
また本実施形態に係る変倍光学系は、以下の条件式（１０）を満足することが望ましい。
３．００  ＜  ｆＬ１／ｆ１  ＜  １２．００    （１０）
但し、
ｆＬ１：前記負メニスカスレンズＬ１の焦点距離。
【００３４】
条件式（１０）は負メニスカスレンズＬ１の焦点距離と第１レンズ群Ｇ１の焦点距離との適切なパワーバランスを規定するものである。この条件式（１０）の範囲内であると、変倍領域全体にわたり倍率色収差や歪曲収差の発生が小さくなるため好ましい。条件式（１０）の上限値を上回ると、第１レンズ群Ｇ１の焦点距離に対して相対的に負メニスカスレンズＬ１の焦点距離が大きくなり、光学系全体が大きくなる。
条件式（１０）の効果をより確実にするために、条件式（１０）の上限値を１１．８０とすることが好ましく、１１．７０、１１．５０、１１．３０、１１．００、１０．８０、１０．６０、１０．５０、１０．４０、さらに１０．２０であることがより好ましい。
【００３５】
条件式（１０）の下限値を下回ると、第１レンズ群Ｇ１の焦点距離に対して相対的に負メニスカスレンズＬ１の焦点距離が小さくなる結果、負メニスカスレンズＬ１の相対的パワーが強すぎ、収差補正が困難となる。特に像面湾曲への影響が大きくなる。
条件式（１０）の効果をより確実にするために、条件式（１０）の下限値を３．２０とすることが好ましく、３．４０、３．５０、３．６０、３．８０、４．００、４．２０、４．６０、さらに４．９０であることがより好ましい。
【００３６】
また本実施形態に係る変倍光学系は前記正レンズが前記負レンズＬ３と接合されていることが望ましい。
【００３７】
正レンズが負レンズＬ３と接合されることで、第１レンズ群Ｇ１内で発生する諸収差、特に下コマ収差と倍率色収差を良好に補正することができる。
【００３８】
また本実施形態に係る変倍光学系は前記第１レンズ群Ｇ１が少なくとも１枚の非球面レンズを有することが望ましい。
【００３９】
第１レンズ群Ｇ１に少なくとも１枚の非球面レンズを有することで、第１レンズ群Ｇ１内のレンズ構成枚数を削減し、小型、軽量化しつつ諸収差、特に球面収差を補正して良好な光学性能を得ることができる。
【００４０】
また本実施形態に係る変倍光学系は合焦に際し、少なくとも１枚のレンズ成分が光軸方向に移動する合焦レンズ群であることが望ましい。
【００４１】
少なくとも１枚のレンズ成分を光軸方向に移動する合焦レンズ群とすることで、合焦に伴う収差変動を抑制することができる。特に後群内のレンズ群を合焦レンズ群とすることで近距離撮影でも良好な像が得られる。
【００４２】
また本実施形態に係る変倍光学系は合焦に際し、互いに間隔が変化し、光軸方向に移動する第１合焦レンズ群と第２合焦レンズ群を有し、以下の条件式（１１）を満足することが望ましい。
０．５０  ＜｜ｆＦ１／ｆＦ２｜＜  １．５０      （１１）
但し、
ｆＦ１：前記第１合焦レンズ群の焦点距離、
ｆＦ２：前記第２合焦レンズ群の焦点距離。
【００４３】
条件式（１１）は、それぞれ独立して移動する第１合焦レンズ群と第２合焦レンズ群との適切なパワーバランスを規定するものである。本実施形態に係る変倍光学系は、条件式（１１）を満足することにより、合焦に伴う像倍率の変化を抑えることができ、合焦領域全体にわたり極めて良好な光学性能を備えた変倍光学系を得ることができる。
条件式（１１）の上限値を上回ると、第１合焦レンズ群に対して第２合焦レンズ群の屈折力が過剰になってしまい、変倍領域全体にわたり合焦に伴う収差変動を抑制するのが難しくなる。
条件式（１１）の効果をより確実にするために、条件式（１１）の上限値を１．４０とすることが好ましく、１．３０、１．２０、さらに１．１０であることがより好ましい。
条件式（１１）の下限値を下回ると、第２合焦レンズ群に対して第１合焦レンズ群の屈折力が過剰になってしまい、変倍領域全体にわたり合焦に伴う収差変動を抑制するのが難しくなる。
条件式（１１）の効果をより確実にするために、条件式（１１）の下限値を０．６０とすることが好ましく、０．７０、０．８０、０．９０、さらに１．００であることがより好ましい。
【００４４】
また本実施形態に係る変倍光学系は合焦に際し、互いの間隔が変化し、光軸方向に移動する第１合焦レンズ群と第２合焦レンズ群を有し、以下の条件式（１２）を満足することが望ましい。
０．５０  ＜−（ｆＦ１／ｆＦ２）＜  １．５０      （１２）
但し、
ｆＦ１：前記第１合焦レンズ群の焦点距離、
ｆＦ２：前記第２合焦レンズ群の焦点距離。
【００４５】
条件式（１２）は、それぞれ焦点距離が逆符号で独立して移動する第１合焦レンズ群と第２合焦レンズ群との適切なパワーバランスを規定するものである。本実施形態に係る変倍光学系は、条件式（１２）を満足することにより、合焦に伴う像倍率の変化を一層抑えることができ、合焦領域全体にわたりさらに極めて良好な光学性能を備えた変倍光学系を得ることができる。
条件式（１２）の上限値を上回ると、第１合焦レンズ群に対して第２合焦レンズ群の屈折力が過剰になってしまい、変倍領域全体にわたり合焦に伴う収差変動を抑制するのが難しくなる。
条件式（１２）の効果をより確実にするために、条件式（１２）の上限値を１．４８とすることが好ましく、１．４６、１．４５、１．４４、１．４３、１．４２、１．４１、さらに１．４０であることがより好ましい。
条件式（１２）の下限値を下回ると、第２合焦レンズ群に対して第１合焦レンズ群の屈折力が過剰になってしまい、変倍領域全体にわたり合焦に伴う収差変動を抑制するのが難しくなる。
条件式（１２）の効果をより確実にするために、条件式（１２）の下限値を０．５５とすることが好ましく、０．６０、０．６５、０．７０、０．７５、０．８０、０．８５、０．９０、さらに０．９３であることがより好ましい。
【００４６】
本実施形態に係る光学機器は上述した変倍光学系を搭載する。
【００４７】
ここで、本実施形態の変倍光学系ＯＬを備えたカメラ（光学機器）の一例について説明する。図４１は、ズームレンズＯＬを搭載したカメラ１の構成の一例を示す図である。
【００４８】
図４１に示すように、カメラ１は、撮影レンズ２として変倍光学系ＯＬを備えたレンズ交換式のいわゆるミラーレスカメラである。
カメラ１において、不図示の物体（被写体）からの光は、撮影レンズ２で集光されて、不図示のＯＬＰＦ（Ｏｐｔｉｃａｌ  ｌｏｗ  ｐａｓｓ  ｆｉｌｔｅｒ：光学ローパスフィルタ）を介して撮像部３の撮像面上に被写体像を形成する。そして、撮像部３に設けられた光電変換素子によって被写体像が光電変換されて被写体の画像が生成される。この画像は、カメラ１に設けられたＥＶＦ（Ｅｌｅｃｔｒｏｎｉｃ  ｖｉｅｗ  ｆｉｎｄｅｒ：電子ビューファインダ）４に表示される。これにより、撮影者は、ＥＶＦ４を介して被写体を観察することができる。また、撮影者によって不図示のレリーズボタンが押されると、撮像部３で生成された被写体の画像が不図示のメモリーに記憶される。このようにして、撮影者はカメラ１による被写体の撮影を行うことができる。
【００４９】
カメラ１に撮影レンズ２として搭載した変倍光学系ＯＬは、後述の各実施例からも分かるようにその特徴的なレンズ構成によって、広画角かつ高解像で広角端における焦点距離が１２．３ｍｍ以下の負先行型変倍光学系を有している。したがって、カメラ１によれば、広画角かつ高解像で広角端における焦点距離が１２．３ｍｍ以下の負先行型変倍光学系を有する光学機器を実現することができる。
【００５０】
なお、カメラ１として、ミラーレスカメラの例を説明したが、本実施形態の光学機器は、これに限定されるものではない。例えば、カメラ本体にクイックリターンミラーを有し、ファインダ光学系によって被写体を観察する一眼レフタイプのカメラに、上述のズームレンズＯＬを搭載した場合でも、カメラ１と同様の効果を奏することができる。
【００５１】
本実施形態に係る変倍光学系の製造方法は、物体側から順に負の屈折力を有する第１レンズ群Ｇ１と、前記第１レンズ群Ｇ１より像側に少なくとも１つのレンズ群を有する後群とを有し、前記後群は最も物体側に正の屈折力を有する第１正レンズ群を有する変倍光学系の製造方法であって、変倍時に、隣り合う各レンズ群の間隔が変化するように配置し、前記第１レンズ群Ｇ１は、物体側から順に、物体側に凸面を向けた負メニスカスレンズＬ１、物体側に凸面を向けた負メニスカスレンズＬ２、負レンズＬ３を配置し、少なくとも１枚の正レンズを有するように配置し、以下の条件式（１）、（２）及び（３）を満足するように配置する。
０．０５  ＜  （−ｆ１）／ｆｗ  ＜  ５．３０                              （１）
２ωｗ  ＞  １２０．０°                                                  （２）
−６．５０ ＜（Ｌ１ｒ２＋Ｌ１ｒ１）/（Ｌ１ｒ２−Ｌ１ｒ１）＜ −３．２０   （３）
但し、
ｆ１：前記第１レンズ群Ｇ１の焦点距離、
ｆｗ：広角端の焦点距離、
ωｗ：広角端でのズームレンズ全体の半画角（単位：度）、
Ｌ１ｒ１：前記負メニスカスレンズＬ１の物体側面の曲率半径、
Ｌ１ｒ２：前記負メニスカスレンズＬ１の像側面の曲率半径。
【００５２】
以下、実施形態に係る変倍光学系ＯＬの製造方法の概略について、図４２を参照して説明する。まず、負の屈折力を有する第１レンズ群Ｇ１と、前記第１レンズ群Ｇ１より像側に少なくとも１つのレンズ群を有する後群とを配置する（S1）。次に、後群は最も物体側に正の屈折力を有する第１正レンズ群を有し、変倍時に、隣り合う各レンズ群の間隔が変化するように配置する（S2）。そして、第１レンズ群Ｇ１は、物体側から順に、物体側に凸面を向けた負メニスカスレンズＬ１、物体側に凸面を向けた負メニスカスレンズＬ２、負レンズＬ３を配置し、少なくとも１枚の正レンズを有するように配置する(S3)。さらに、所定の条件式を満足するように配置する(S4)。
【００５３】
上述の光学系の製造方法によれば、広画角かつ高解像で広角端における焦点距離が１２．３ｍｍ以下の負先行型変倍光学系を製造することができる。
【００５４】
なお、以上で説明した条件及び構成は、それぞれが上述した効果を発揮するものであり、全ての条件及び構成を満たすものに限定されることはなく、いずれかの条件又は構成、或いは、いずれかの条件又は構成の組み合わせを満たすものでも、上述した効果を得ることが可能である。
【００５５】
また、以下に記載の内容は、光学性能を損なわない範囲で適宜採用可能である。
【００５６】
本明細書において、レンズ群とは、変倍時や合焦時に変化する空気間隔で分離された、少なくとも１枚のレンズを有する部分を示す。
【００５７】
また、合焦レンズ群はオートフォーカスにも適用でき、オートフォーカス用の（超音波モータ等の）モータ駆動にも適している。
【００５８】
また、レンズ群または部分レンズ群を光軸に直交方向の変位成分を持つように移動させ、または、光軸を含む面内方向に回転移動（揺動）させて、手振れによって生じる像ブレを補正する防振レンズ群としてもよい。
【００５９】
また、レンズ面は、球面または平面で形成されても、非球面で形成されても構わない。レンズ面が球面または平面の場合、レンズ加工及び組立調整が容易になり、加工及び組立調整の誤差による光学性能の劣化を防げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）或いはプラスチックレンズとしてもよい。
【００６０】
開口絞りＳは、レンズ群の中或いは外に配置されるのが好ましいが、開口絞りとしての部材を設けずに、レンズの枠でその役割を代用してもよい。
【００６１】
さらに、各レンズ面には、フレアやゴーストを軽減し高コントラストの高い光学性能を達成するために、広い波長域で高い透過率を有する反射防止膜を施してもよい。
【００６２】
以上のような構成により、良好な光学性能を有し、明るい変倍光学系ＯＬ及びこの変倍光学系ＯＬを有する撮影装置を提供することができる。
【００６３】
以下、本実施形態に係る各実施例について、図面に基づいて説明する。以下に、表１〜表８を示すが、これらは第１実施例〜第８実施例における各諸元の表である。
【００６４】
図１に示す光学系断面図は、実施例１の無限遠合焦時における光学系断面図であり、紙面上部に広角端状態、紙面下部に望遠端状態がそれぞれ記載され、両者間には広角端状態から望遠端状態への変倍時における各レンズ群（第１レンズ群Ｇ１及び第２レンズ群Ｇ２）の移動軌跡が示されている。なお、第２レンズ群Ｇ２は第１正レンズ群に該当する。
図１の各レンズは物体側（紙面左側）から順にＬ１１、Ｌ１２、Ｌ１３、・・・と示されている。ここで本明細書に記載の負メニスカスレンズＬ１、負メニスカスレンズＬ２、負レンズＬ３は、それぞれ図１のＬ１１、Ｌ１２、Ｌ１３に相当する。
また、図１において合焦レンズ群は合焦時の移動軌跡と共にＦと示されている。
更に、図２、図３は、実施例１の無限遠合焦時の広角端状態（図２）及び、望遠端状態（図３）の収差図であり、良好に収差補正が成されていることがわかる。また、図４、図５は、実施例１の近距離合焦時の広角端状態（図４）及び、望遠端状態（図５）の収差図である。他の焦点距離同様に、良好に収差補正が成されていることがわかる。但し、ＦＮＯはＦナンバー、Ｙは像高、ｄ，ｇはそれぞれｄ線，ｇ線の収差曲線であることを示している。また非点収差において、実線はサジタル像面、点線はメリジオナル像面を示している。
【００６５】
なお、第１実施例に係る図１に対する各参照符号は、参照符号の桁数の増大による説明の煩雑化を避けるため、実施例ごとに独立して用いている。ゆえに、他の実施例に係る図面と共通の参照符号を付していても、それらは他の実施例とは必ずしも共通の構成ではない。ただし、他の実施例に係る図面のＬ１１、Ｌ１２、Ｌ１３、Ｇ１、Ｇ２は、第１実施例に係る図１と同様に、それぞれ本明細書記載の負メニスカスレンズＬ１、負メニスカスレンズＬ２、負レンズＬ３、第１レンズ群Ｇ１、第２レンズ群Ｇ２（第１正レンズ群）に相当する。
【００６６】
各実施例では収差特性の算出対象として、Ｃ線（波長656.3nm）、ｄ線（波長587.6nm）、Ｆ線（波長486.1nm）、ｇ線（波長435.8nm）を選んでいる。
【００６７】
表中の（基本諸元）において、ｆは変倍光学系ＯＬ全系の焦点距離、ωは半画角（最大入射角単位：°）、Ｙは像高、ＦＮＯはＦナンバーを示す。
【００６８】
表中の（面データ）において、面番号は光線の進行する方向に沿った物体側からの光学面の順序、ｒは各光学面の曲率半径、ｄは各光学面から次の光学面（又は像面）までの光軸上の距離である面間隔、ｎｄは光学部材の材質のｄ線に対する屈折率、νｄは光学部材の材質のｄ線を基準とするアッベ数をそれぞれ示す。また、（物面）は物体面、（可変）は可変の面間隔、曲率半径の「∞」は平面又は開口、(絞り)は開口絞りＳ、像面は像面Ｉ、ＢＦはバックフォーカス（光軸上でのレンズ最終面から近軸像面までの距離）をそれぞれ示す。ＢＦは（可変）と示されなくても可変である場合を含む。空気の屈折率「1.000000」は省略する。
【００６９】
表中の（非球面データ）において、非球面は、光軸に垂直な方向の高さをｙとし、高さｙにおける各非球面の頂点の接平面から各非球面までの光軸に沿った距離（サグ量）をＳ（ｙ）とし、基準球面の曲率半径（近軸曲率半径）をｒとし、円錐定数をκとし、ｎ次（ｎ＝４，６，８，１０，１２，１４）の非球面係数をＡnとしたとき、以下の式（ａ）で表される。なお、以降の実施例において、「Ｅ−ｎ」は「×１０-n」を示す。例えば、「-4.54914E-06」は「−４．５４９１４×１０−６」を示す。
【００７０】
Ｓ（ｙ）＝（ｙ2／ｒ）／｛１＋（１−κ×ｙ2／ｒ2）1/2｝
＋Ａ4×ｙ4＋Ａ6×ｙ6＋Ａ8×ｙ8＋Ａ10×ｙ10＋Ａ12×ｙ12＋Ａ14×ｙ14   （ａ）
【００７１】
なお、各実施例において、２次の非球面係数Ａ2は０である。また、各実施例の表中において、非球面には面番号の右側に＊印を付している。
【００７２】
表中の（レンズ群焦点距離）において、始面は各群の最も物体側の面番号を、終面は各群の最も像側の面番号を、群焦点距離は各群の焦点距離を示す。
【００７３】
表中の（可変間隔データ）において、無限遠合焦状態、中間距離合焦状態及び近距離合焦状態のそれぞれにおける各可変間隔ｄｉを示す。ここで、ｄｉは、第ｉ面と第（ｉ＋１）面の可変間隔を示す。なお、ｄ０は物体から最も物体側のレンズ面の頂点までの光軸上の距離を示す。
【００７４】
表中の（条件式）には、上記の条件式（１）〜（１２）に対応する値を示す。
【００７５】
以下、全ての諸元値において、掲載されている焦点距離ｆ、曲率半径ｒ、面間隔ｄ、その他の長さ等は、特記のない場合一般に「ｍｍ」が使われるが、光学系は比例拡大又は比例縮小しても同等の光学性能が得られるので、これに限られるものではない。また、単位は「ｍｍ」に限定されることなく、他の適当な単位を用いることが可能である。
【００７６】
ここまでの表の説明は全ての実施例において共通であり、以下での説明を省略する。
【００７７】
（第１実施例）
図１は、第１実施例に係る変倍光学系の無限遠合焦状態の断面図である。
本実施例に係る光学系は、物体側から順に、負の屈折力を有する第１レンズ群Ｇ１と、正の屈折力を有する第２レンズ群Ｇ２とから構成されている。
【００７８】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、両凹負レンズＬ１４及び物体側に凸面を向けたメニスカスレンズ形状の正レンズＬ１５で構成されている。また、第２レンズ群Ｇ２は、物体側に凸面を向けたメニスカスレンズ形状の負レンズＬ２１と両凸正レンズＬ２２とを接合した接合正レンズ、物体側に凸面を向けたメニスカスレンズ形状の正レンズＬ２３、両凹負レンズＬ２４、両凸正レンズＬ２５、物体側に凸面を向けたメニスカスレンズ形状の負レンズＬ２６と物体側に凸面を向けたメニスカスレンズ形状の正レンズＬ２７とを接合した接合正レンズ、両凸正レンズＬ２８と物体側に凹面を向けたメニスカスレンズ形状の負レンズＬ２９とを接合した接合正レンズ、物体側に凹面を向けたメニスカスレンズ形状の正レンズＬ２１０と物体側に凹面を向けたメニスカスレンズ形状の負レンズＬ２１１とを接合した接合負レンズで構成されている。また、開口絞りＳは、第２レンズ群Ｇ２内の両凸正レンズＬ２２と正レンズＬ２３の間に配置されている。
【００７９】
この第１実施例に係る変倍光学系では、広角端状態から望遠端状態への変倍に際し、第１レンズ群Ｇ１と第２レンズ群Ｇ２の空気間隔が減少するように、第１レンズ群Ｇ１は像方向へ移動し、第２レンズ群Ｇ２は物体方向へ移動する。なお、開口絞りＳは、変倍に際し第２レンズ群Ｇ２とともに移動する。
【００８０】
この光学系において、無限遠から至近物点への合焦は、負レンズＬ２１と両凸正レンズＬ２２とを接合した接合正レンズを光軸に沿って像側に移動させることにより行うように構成されている。
【００８１】
この光学系によって、像面Ｉ上に像が結像されて撮影が行われる。図１には光学系、及び光学系の像面Ｉが図示されている。
以下の表１に、第１実施例における各諸元の値を示す。
【００８２】
（表１）第１実施例
（基本諸元）
広角端状態              望遠端状態
f                  10.3                    15.6
2ω               136.3                   109.8
Y                  21.6                    21.6
FNO                 2.8
（面データ）
面番号     r        d           nd           νd  
0（物面） ∞     （可変）
1      60.2410    3.5000    1.804000       46.57
2      43.0878   17.5115 
3      58.8100    3.5000    1.693700       53.29
4*     17.6582   18.4688 
5     155.0612    2.0000    1.743200       49.26
6*     27.9943   14.9799 
7    -253.5842    2.0000    1.497820       82.51
8      44.9224    0.8767 
9      41.8745    8.3539    1.903660       31.27
10     542.8951   （可変）
11      33.0895    4.0088    1.834807       42.72
12      16.6914    6.0077    1.617720       49.81
13    -461.7439   （可変）
14（絞り）∞       1.5000    
15      22.2512    3.7742    1.487490       70.32
16      35.5270    1.2329 
17    -159.3368    1.0000    1.795040       28.69
18      38.4008    0.1000 
19      21.9585    4.7044    1.723420       38.03
20    -211.6785    0.1000 
21      24.6585    1.0002    1.804400       39.61
22      11.7480    6.1434    1.497820       82.51
23     123.0611    0.1000  
24      83.3822    6.7608    1.497820       82.51
25     -14.3343    3.7074    1.799520       42.09
26     -42.5444    3.4147 
27*   -125.8945    8.1609    1.589130       61.06
28     -16.0000    1.0000    1.804000       46.60
29     -61.8523      BF  
像面      ∞
（非球面データ）
第４面
κ ＝-0.670
Ａ4＝-4.54914E-06、Ａ6＝-5.03904E-09、Ａ8＝4.35433E-12、Ａ10＝-1.90578E-14
第６面
κ  ＝-1.206
Ａ4 ＝1.42438E-05、Ａ6＝5.53113E-09、Ａ8＝9.06023E-12、Ａ10＝2.14124E-14
第２７面
κ ＝ 0.000
Ａ4＝-2.67544E-05、Ａ6＝-1.74868E-08、Ａ8＝0.00000E+00、Ａ10＝0.00000E+00
（レンズ群焦点距離）
レンズ群     始面    終面  群焦点距離
第１レンズ群     1      10     -20.45
第２レンズ群    11      29      32.47
合焦レンズ群    11      13      70.72
（可変間隔データ）
広角     中間     望遠    広角      中間     望遠 
f     10.300   13.029   15.600
β      ―       ―       ―     -0.025   -0.025   -0.025
d0      ∞       ∞       ∞    368.308  478.635  582.198 
d10   22.183    8.681    0.281   23.242    9.484    0.959 
d13    8.448    8.448    8.448    7.389    7.646    7.770 
d29   13.619   17.952   22.035   13.619   17.952   22.035
（条件式）
(1)   （−ｆ１）／ｆｗ  ＝  1.99
(2)    ２ωｗ  ＝  136.3
(3)   （Ｌ１ｒ２＋Ｌ１ｒ１）/（Ｌ１ｒ２−Ｌ１ｒ１）  ＝  -6.02
(4)    ｆ２／ｆｗ  ＝  3.15
(5)    Ｂｆｗ／ｆｗ  ＝  1.32
(6)   （−ｆ１）／ｆ２  ＝  0.63
(7)   （Ｌ２ｒ２＋Ｌ２ｒ１）/（Ｌ２ｒ２−Ｌ２ｒ１）  ＝  -1.86
(8)   （Ｌ２ｒ１＋Ｌ１ｒ２）/（Ｌ２ｒ１−Ｌ１ｒ２）  ＝   6.48
(9)    ｆＬ２／ｆ１  ＝  1.84
(10)   ｆＬ１／ｆ１  ＝  10.12 
【００８３】
図２、及び図３はそれぞれ、第１実施例に係る光学系の無限遠合焦時における広角端状態、及び望遠端状態の諸収差図であり、諸収差が良好に補正されていることがわかる。
また、図４、及び図５はそれぞれ、第１実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【００８４】
（第２実施例）
図６は、第２実施例に係る光学系の無限遠合焦状態の断面図である。
本実施例に係る光学系は、物体側から順に、負の屈折力を有する第１レンズ群Ｇ１と、正の屈折力を有する第２レンズ群Ｇ２と、正の屈折力を有する第３レンズ群とから構成されている。
【００８５】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、物体側に凸面を向けたメニスカスレンズ形状の負レンズＬ１４、両凹負レンズＬ１５及び両凸正レンズＬ１６で構成されている。また、第２レンズ群Ｇ２は、物体側に凸面を向けたメニスカスレンズ形状の負レンズＬ２１と物体側に凸面を向けたメニスカスレンズ形状の正レンズＬ２２とを接合した接合正レンズ、両凸正レンズＬ２３、物体側に凹面を向けたメニスカスレンズ形状の負レンズＬ２４、両凸レンズＬ２５、両凹負レンズＬ２６と両凸正レンズＬ２７とを接合した接合負レンズ、両凸正レンズＬ２８と物体側に凹面を向けたメニスカスレンズ形状の負レンズＬ２９とを接合した接合正レンズ、物体側に凹面を向けたメニスカスレンズ形状の正レンズＬ２１０と両凹負レンズＬ２１１とを接合した接合負レンズで構成されている。また、第３レンズ群Ｇ３は、物体側に凹面を向けたメニスカスレンズ形状の正レンズＬ３１で構成されている。開口絞りＳは、第２レンズ群Ｇ２内の正レンズＬ２２と正レンズＬ２３との間に配置されている。
【００８６】
この第２実施例に係る変倍光学系では、広角端状態から望遠端状態への変倍に際し、第１レンズ群Ｇ１と第２レンズ群Ｇ２の空気間隔が減少し、第２レンズ群Ｇ２と第３レンズ群Ｇ３の空気間隔が増大するように、第１レンズ群Ｇ１は像方向へ移動し、第２レンズ群Ｇ２は物体方向へ移動し、第３レンズ群Ｇ３は移動しない。なお、開口絞りＳは、変倍に際し第２レンズ群Ｇ２とともに移動する。
【００８７】
この光学系において、無限遠から至近物点への合焦は、負レンズＬ２１と正レンズＬ２２とを接合した接合正レンズを光軸に沿って像側に移動させることにより行うように構成されている。
【００８８】
この光学系によって、像面Ｉ上に像が結像されて撮影が行われる。図６には光学系、及び光学系の像面Ｉが図示されている。
以下の表２に、第２実施例における各諸元の値を示す。
【００８９】
（表２）第２実施例
（基本諸元）
広角端状態              望遠端状態
f                  10.3                    20.8
2ω               136.6                    91.5
Y                  21.6                    21.6
FNO                 2.8
（面データ）
面番号     r        d           nd           νd  
0（物面） ∞     （可変）
1      62.3392    2.8281    1.804000       46.57
2      42.0026   10.0000    
3      47.1397    2.8281    1.693500       53.20 
4*     20.0683   15.0000     
5      62.2503    1.6160    1.743200       49.26 
6*     36.9960   10.7385    
7     126.5993    1.6160    1.693500       53.20 
8*     38.0824   10.4293   
9     -96.0799    1.6160    1.497820       82.51
10      55.9415    3.1984       
11      54.9619   10.3360    1.903660       31.27
12    -683.6583   （可変）     
13      35.3217    1.2000    1.834807       42.72
14      20.5612    7.0000    1.603110       60.69 
15     715.9508   （可変）    
16（絞り）∞       1.5001    
17*     38.9971    6.1493    1.487490       70.32 
18     -72.4922    7.3758       
19     -51.4472    1.7759    1.795040       28.69 
20    -147.6099    2.2299      
21      53.0599    4.8696    1.723420       38.03
22     -39.2778    0.1000       
23     -57.3307    1.0000    1.804400       39.61
24      18.4636    7.3414    1.497820       82.51 
25     -43.9124    0.5798     
26     489.9164    6.6166    1.497820       82.51
27     -19.0082    1.0000    1.799520       42.09
28     -41.1334    0.1000      
29*   -168.1608    5.5875    1.589130       61.22
30     -24.4929    1.0000    1.804000       46.60 
31     447.3054   （可変）     
32    -201.1391    5.9748    1.658440       50.83 
33     -53.9107      BF         
像面      ∞
（非球面データ）
第４面
κ ＝-0.7677
Ａ4＝-3.61673E-06、Ａ6＝-4.39310E-09、Ａ8＝9.29171E-13、Ａ10＝-6.82224E-16
第６面
κ ＝-4.0826
Ａ4＝2.14095E-05、Ａ6＝-5.62908E-09、Ａ8＝1.23138E-12、Ａ10＝8.01625E-15
第８面
κ ＝ 1.2321
Ａ4＝-4.19110E-06、Ａ6＝9.20890E-09、Ａ8＝-8.40887E-12、Ａ10＝-6.58296E-16
第１７面
κ ＝-21.0289
Ａ4＝3.88813E-05、Ａ6＝-2.21110E-07、Ａ8＝ 9.05699E-10、Ａ10＝-1.76899E-12
第２９面
κ ＝ 0.0000
Ａ4＝-1.07690E-05、Ａ6＝-3.56983E-09、Ａ8＝0.00000E+00、Ａ10＝0.00000E+00
（レンズ群焦点距離）
レンズ群     始面    終面  群焦点距離
第１レンズ群     1      12     -21.96
第２レンズ群    13      31      36.90
第３レンズ群    32      33     110.08
合焦レンズ群    13      15      85.06
（可変間隔データ）
広角     中間     望遠     広角     中間     望遠
f     10.300   14.993   20.793
β      ―       ―       ―     -0.025   -0.025   -0.025
d0     0.000    0.000    0.000  371.887  561.143  794.055 
d12   36.559   14.782    1.450   37.800   15.586    2.049 
d15    3.412    3.412    3.412    2.171    2.608    2.813 
d31    1.000    9.917   20.937    1.000    9.917   20.937 
d33   14.019   14.019   14.019   14.019   14.019   14.019 
（条件式）
(1)   （−ｆ１）／ｆｗ  ＝  2.13
(2)    ２ωｗ  ＝  136.6
(3)   （Ｌ１ｒ２＋Ｌ１ｒ１）/（Ｌ１ｒ２−Ｌ１ｒ１）  ＝  -5.13
(4)    ｆ２／ｆｗ  ＝  3.58
(5)    Ｂｆｗ／ｆｗ  ＝  1.36
(6)   （−ｆ１）／ｆ２  ＝  0.60
(7)   （Ｌ２ｒ２＋Ｌ２ｒ１）/（Ｌ２ｒ２−Ｌ２ｒ１）  ＝  -2.48
(8)   （Ｌ２ｒ１＋Ｌ１ｒ２）/（Ｌ２ｒ１−Ｌ１ｒ２）  ＝  17.35
(9)    ｆＬ２／ｆ１  ＝  2.40
(10)   ｆＬ１／ｆ１  ＝  7.77 
【００９０】
図７、及び図８はそれぞれ、第２実施例に係る光学系の無限遠合焦時における広角端状態、及び望遠端状態の諸収差図であり、諸収差が良好に補正されていることがわかる。
また、図９、及び図１０はそれぞれ、第２実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【００９１】
（第３実施例）
図１１は、第３実施例に係る光学系の無限遠合焦状態の断面図である。
本実施例に係る光学系は、物体側から順に、負の屈折力を有する第１レンズ群Ｇ１と、正の屈折力を有する第２レンズ群Ｇ２と、負の屈折力を有する第３レンズ群と、正の屈折力を有する第４レンズ群とから構成されている。
【００９２】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、物体側に凸面を向けたメニスカスレンズ形状の負レンズＬ１４、両凹負レンズＬ１５及び両凸正レンズＬ１６で構成されている。また、第２レンズ群Ｇ２は、両凸正レンズＬ２１、物体側に凸面を向けたメニスカスレンズ形状の負レンズＬ２２、両凸正レンズＬ２３と両凹負レンズＬ２４とを接合した接合正レンズで構成されている。また、第３レンズ群Ｇ３は、物体側に凹面を向けたメニスカスレンズ形状の正レンズＬ３１と両凹負レンズＬ３２とを接合した接合負レンズで構成されている。また第４レンズ群Ｇ４は、物体側に凸面を向けたメニスカスレンズ形状の正レンズＬ４１、物体側に凸面を向けたメニスカスレンズ形状の正レンズＬ４２、物体側に凸面を向けたメニスカスレンズ形状の負レンズＬ４３と物体側に凸面を向けたメニスカスレンズ形状の正レンズＬ４４とを接合した接合負レンズ、両凸正レンズＬ４５と両凹負レンズＬ４６とを接合した接合負レンズ、両凸正レンズＬ４７と物体側に凹面を向けたメニスカスレンズ形状の負レンズＬ４８とを接合した接合正レンズで構成されている。また、開口絞りＳは、第２レンズ群Ｇ２内の両凹負レンズＬ２４の像側に配置されている。
【００９３】
この第３実施例に係る変倍光学系では、広角端状態から望遠端状態への変倍に際し、第１レンズ群Ｇ１と第２レンズ群Ｇ２の空気間隔が減少し、第２レンズ群Ｇ２と第３レンズ群Ｇ３の空気間隔が増大し、第３レンズ群Ｇ３と第４レンズ群Ｇ４の空気間隔が減少するように、第１レンズ群Ｇ１は像方向へ移動し、第２レンズ群Ｇ２から第４レンズ群Ｇ４は物体方向へ移動する。なお、開口絞りＳは、変倍に際し第２レンズ群Ｇ２とともに移動する。
【００９４】
この光学系において、無限遠から至近物点への合焦は、正レンズＬ２１を光軸に沿って像側に移動させることにより行うように構成されている。
【００９５】
この光学系によって、像面Ｉ上に像が結像されて撮影が行われる。図１１には光学系、及び光学系の像面Ｉが図示されている。
以下の表３に、第３実施例における各諸元の値を示す。
【００９６】
（表３）第３実施例
（基本諸元）
広角端状態              望遠端状態
f                  10.3                    21.5
2ω               134.2                    90.5
Y                  21.6                    21.6
FNO                 2.8
（面データ）
面番号     r        d           nd           νd  
0（物面） ∞     （可変）
1      63.6772    2.5000    1.804000       46.57 
2      43.2721   10.0000 
3      50.4038    2.5000    1.693500       53.20 
4*     20.7782   15.0000     
5      61.9410    2.0000    1.743200       49.26 
6*     38.1416   12.6014     
7     523.6997    2.0000    1.693500       53.20 
8*     43.6638   10.2591     
9     -63.5599    1.5000    1.456000       91.37 
10      91.8083    1.0211      
11      68.8603    6.7592    1.902650       35.72 
12    -179.0623   （可変）     
13     119.3331    3.9954    1.677980       54.89 
14    -125.8955   （可変）     
15       0.0000    0.1000        
16      26.2507    1.0000    1.618000       63.34 
17      23.4587    0.9966    
18      30.5098    6.2701    1.497820       82.57 
19     -75.2036    1.0000    1.846660       23.78 
20     272.6234    1.5000    
21（絞り）∞      （可変）   
22    -225.1575    6.9163    1.846660       23.80 
23     -26.6716    1.0000    1.790630       44.98
24      77.8623   （可変）    
25      25.3197    4.9227    1.497820       82.57
26     132.5710    0.1000     
27      25.3197    5.2230    1.497820       82.57
28     132.5710    0.1000     
29      28.9045    1.0000    1.902650       35.72
30      13.5704    6.1420    1.497820       82.57
31     105.2703    0.4528    
32     432.3907    5.1189    1.497820       82.57
33     -25.9194    1.0000    1.804000       46.60
34     161.3201    0.2961    
35*    166.1866    9.9426    1.497820       82.57
36     -13.0728    1.0000    1.772500       49.62
37     -31.7431      BF    
像面      ∞
（非球面データ）
第４面
κ ＝-0.7615
Ａ4＝-3.13715E-06、Ａ6＝-3.92696E-09、Ａ8＝ 1.51439E-12、Ａ10＝-1.46879E-15
Ａ12＝0.12842E-18、Ａ14＝-0.61485E-23
第６面
κ ＝-3.8479
Ａ4＝1.73475E-05、Ａ6＝2.65210E-10、Ａ8＝-5.50485E-12、Ａ10＝9.84206E-15
Ａ12＝0.85009E-19、Ａ14＝0.10014E-25
第８面
κ ＝ 1.4714
Ａ4＝-3.29251E-06、Ａ6＝5.69807E-09、Ａ8＝-5.16565E-12、Ａ10＝2.83692E-15
Ａ12＝-0.33858E-19、Ａ14＝-0.12119E-25
第３５面
κ ＝ 0.0000
Ａ4＝-1.80361E-05、Ａ6＝-5.47510E-09、Ａ8＝2.49538E-10、Ａ10＝-3.44282E-13
（レンズ群焦点距離）
レンズ群     始面    終面  群焦点距離
第１レンズ群     1      12     -22.30
第２レンズ群    13      21      57.32
第３レンズ群    22      24     -83.78
第４レンズ群    25      37      40.22
合焦レンズ群    13      14      90.96
（可変間隔データ）
広角    中間1     中間2     望遠    広角     中間1     中間2     望遠       
f     10.3     14.1     17.9     21.5
β      ―       ―       ―       ―     -0.025   -0.025    -0.025   -0.025
d0      ∞       ∞       ∞       ∞    371.864  523.210   677.961  822.472
d12   43.131   21.921    9.590    2.000   44.401   22.806    10.301    2.612
d14    5.000    5.000    5.000    5.000    3.730    4.115     4.290    4.388
d20    2.710    4.983    5.564    5.417    2.710    4.983     5.564    5.417
d24   10.052    5.666    3.120    2.000   10.052    5.666     3.120    2.000
d37   16.688   22.591   28.992   35.106   16.688   22.591    28.992   35.106
（条件式）
(1)   （−ｆ１）／ｆｗ  ＝  2.17
(2)    ２ωｗ  ＝  134.2
(3)   （Ｌ１ｒ２＋Ｌ１ｒ１）/（Ｌ１ｒ２−Ｌ１ｒ１）  ＝  -5.24
(4)    ｆ２／ｆｗ  ＝  5.57
(5)    Ｂｆｗ／ｆｗ  ＝  1.62
(6)   （−ｆ１）／ｆ２  ＝  0.39
(7)   （Ｌ２ｒ２＋Ｌ２ｒ１）/（Ｌ２ｒ２−Ｌ２ｒ１）  ＝  -2.40
(8)   （Ｌ２ｒ１＋Ｌ１ｒ２）/（Ｌ２ｒ１−Ｌ１ｒ２）  ＝  13.14
(9)    ｆＬ２／ｆ１  ＝  2.37
(10)   ｆＬ１／ｆ１  ＝  7.97
【００９７】
図１２、及び図１３はそれぞれ、第３実施例に係る光学系の無限遠合焦時における広角端状態、及び望遠端状態の諸収差図であり、諸収差が良好に補正されていることがわかる。
また、図１４、及び図１５はそれぞれ、第３実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【００９８】
（第４実施例）
図１６は、第４実施例に係る光学系の無限遠合焦状態の断面図である。
本実施例に係る光学系は、物体側から順に、負の屈折力を有する第１レンズ群Ｇ１と、正の屈折力を有する第２レンズ群Ｇ２と、負の屈折力を有する第３レンズ群と、正の屈折力を有する第４レンズ群と、負の屈折力を有する第５レンズ群とから構成されている。
【００９９】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、物体側に凸面を向けたメニスカスレンズ形状の負レンズＬ１４、両凹負レンズＬ１５及び両凸正レンズＬ１６で構成されている。また、第２レンズ群Ｇ２は、物体側に凸面を向けたメニスカスレンズ形状の負レンズＬ２１と両凸正レンズＬ２２とを接合した接合正レンズ、両凸正レンズＬ２３と両凹負レンズＬ２４とを接合した接合負レンズ、両凸正レンズＬ２５と両凹負レンズＬ２６とを接合した接合負レンズ、両凸正レンズＬ２７で構成されている。また、第３レンズ群Ｇ３は、物体側に凸面を向けたメニスカスレンズ形状の負レンズＬ３１で構成されている。また、第４レンズ群Ｇ４は、物体側に凸面を向けたメニスカスレンズ形状の負レンズＬ４１と両凸レンズＬ４２とを接合した接合正レンズで構成されている。また、第５レンズ群Ｇ５は、両凸正レンズＬ５１と物体側に凹面を向けたメニスカスレンズ形状の負レンズＬ５２とを接合した接合正レンズ、物体側に凹面を向けたメニスカスレンズ形状の正レンズＬ５３と両凹負レンズＬ５４とを接合した接合負レンズで構成されている。また、開口絞りＳは、第２レンズ群Ｇ２内の両凸正レンズＬ２２と両凸正レンズＬ２３の間に配置されている。
【０１００】
この第４実施例に係る変倍光学系では、広角端状態から望遠端状態への変倍に際し、第１レンズ群Ｇ１と第２レンズ群Ｇ２の空気間隔が減少し、第２レンズ群Ｇ２と第３レンズ群Ｇ３の空気間隔が減少し、第３レンズ群Ｇ３と第４レンズ群Ｇ４の空気間隔が増加し、第４レンズ群Ｇ４と第５レンズ群Ｇ５の空気間隔が減少するように、第１レンズ群Ｇ１は像方向へ移動し、第２レンズ群Ｇ２から第５レンズ群Ｇ５は物体方向へ移動する。なお、開口絞りＳは、変倍に際し第２レンズ群Ｇ２とともに移動する。
【０１０１】
この光学系において、無限遠から至近物点への合焦は、負レンズＬ３１及び負レンズＬ４１と正レンズＬ４２との接合レンズをそれぞれ光軸に沿って物体側に移動させることにより行うように構成されている。
【０１０２】
この光学系によって、像面Ｉ上に像が結像されて撮影が行われる。図１６には光学系、及び光学系の像面Ｉが図示されている。
以下の表４に、第４実施例における各諸元の値を示す。
【０１０３】
（表４）第４実施例
（基本諸元）
広角端状態              望遠端状態
f                  12.3                    23.3
2ω               123.1                    86.2
Y                  21.6                    21.6
FNO                 2.8
（面データ）
面番号     r        d           nd           νd  
0（物面） ∞     （可変）
1      57.1521    4.2550    1.804000       46.57 
2      34.6210    9.1692  
3      43.2490    3.3685    1.693500       53.20 
4*     17.2849   13.7538      
5      79.3002    2.6594    1.743200       49.26 
6*     36.6533    7.5796      
7      95.2465    1.9502    1.693500       53.20 
8*     33.5324    6.6258      
9     -90.7147    1.7729    1.456000       91.37 
10      67.9931    0.1000       
11      50.2253    7.0916    1.902650       35.72 
12    -142.8147   （可変）        
13       0.0000    0.0000        
14      35.9099    2.0000    1.834807       42.72 
15      20.0037    4.2875    1.623740       47.05 
16    -724.9654    1.5000      
17（絞り）∞       1.0000    
18       0.0000    0.0000    
19      43.4184    3.7326    1.497820       82.57 
20     -42.0220    1.0344    1.846660       23.78 
21     106.0127    2.1021      
22       0.0000    0.0000     
23      46.5845    5.1719    1.846660       23.80 
24     -41.5898    1.0000    1.790630       44.98 
25      26.0416    0.1000      
26      25.4204    4.5008    1.497820       82.57 
27     -66.0121   （可変）       
28*    157.9235    1.5000    1.806040       40.74 
29      30.2603   （可変）      
30      23.3556    1.0000    1.902650       35.72 
31      19.4772    7.0538    1.497820       82.57 
32     -38.5746   （可変）       
33     210.6651    9.0757    1.497820       82.57 
34     -15.6607    0.9629    1.804000       46.60 
35     -22.0349    0.1000       
36*   -120.1278    3.7610    1.497820       82.57 
37     -22.5756    0.9629    1.772500       49.62 
38      67.4557      BF    
像面      ∞
（非球面データ）
第４面
κ ＝-0.6087
Ａ4＝-7.03133E-06、Ａ6＝-2.03872E-08、Ａ8＝6.61264E-11、Ａ10＝-2.43283E-13
Ａ12＝0.33893E-15、Ａ14＝-0.19378E-18
第６面
κ ＝-5.6445
Ａ4＝ 3.37992E-05、Ａ6＝9.98365E-09、Ａ8＝-8.09901E-11、Ａ10＝5.51009E-13
Ａ12＝-0.10852E-14、Ａ14＝0.87353E-18
第８面
κ ＝ 0.3922
Ａ4＝-1.20245E-05、Ａ6＝-1.28688E-08、Ａ8＝1.33746E-10、Ａ10＝-7.49348E-13
Ａ12＝0.19014E-14、Ａ14＝-0.19785E-17
第２８面
κ ＝ 0.0000
Ａ4＝-7.93664E-06、Ａ6＝-2.65637E-10、Ａ8＝-3.74111E-11、Ａ10＝0.00000E+00
第３６面
κ ＝ 0.0000
Ａ4＝-1.85161E-05、Ａ6＝-6.22793E-08、Ａ8＝3.11065E-10、Ａ10＝-1.83103E-12
（レンズ群焦点距離）
レンズ群       始面    終面  群焦点距離
第１レンズ群       1      13     -24.00
第２レンズ群      14      27      42.60
第３レンズ群      28      29     -46.69
第４レンズ群      30      32      33.54
第５レンズ群      33      38    -137.98
第１合焦レンズ群  28      29     -46.69
第２合焦レンズ群  30      32      33.54
（可変間隔データ）
広角    中間1    中間2    望遠      広角    中間1    中間2    望遠 
f      12.300   13.900   17.928   23.300
β       ―       ―       ―       ―     -0.025   -0.025   -0.025   -0.025
d0       ∞       ∞       ∞       ∞    456.955  521.662  683.254  901.265
d12    34.826   26.524   12.280    1.000   34.826   26.524   12.280    1.000
d27     5.743    5.226    4.646    4.206    4.842    4.417    4.049    3.732
d29     1.500    1.704    2.149    2.436    1.710    1.873    2.193    2.368
d32     2.366    2.362    2.081    1.500    3.057    3.002    2.636    2.041
d38    20.285   23.054   29.882   39.073   20.285   23.054   29.882   39.073
（条件式）
(1)   （−ｆ１）／ｆｗ  ＝  1.95
(2)    ２ωｗ  ＝  123.1
(3)   （Ｌ１ｒ２＋Ｌ１ｒ１）/（Ｌ１ｒ２−Ｌ１ｒ１）  ＝  -4.07
(4)    ｆ２／ｆｗ  ＝  3.46
(5)    Ｂｆｗ／ｆｗ  ＝  1.65
(6)   （−ｆ１）／ｆ２  ＝  0.56
(7)   （Ｌ２ｒ２＋Ｌ２ｒ１）/（Ｌ２ｒ２−Ｌ２ｒ１）  ＝  -2.33
(8)   （Ｌ２ｒ１＋Ｌ１ｒ２）/（Ｌ２ｒ１−Ｌ１ｒ２）  ＝   9.03 
(9)    ｆＬ２／ｆ１  ＝  1.83
(10)   ｆＬ１／ｆ１  ＝  4.97
(11)  ｜ｆＦ１／ｆＦ２｜  ＝  1.39
(12)  −（ｆＦ１／ｆＦ２）  ＝  1.39
【０１０４】
図１７、及び図１８はそれぞれ、第４実施例に係る光学系の無限遠合焦時における広角端状態、及び望遠端状態の諸収差図であり、諸収差が良好に補正されていることがわかる。
また、図１９、及び図２０はそれぞれ、第４実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【０１０５】
（第５実施例）
図２１は、第５実施例に係る光学系の無限遠合焦状態の断面図である。
本実施例に係る光学系は、物体側から順に、負の屈折力を有する第１レンズ群Ｇ１と、正の屈折力を有する第２レンズ群Ｇ２と、負の屈折力を有する第３レンズ群と、正の屈折力を有する第４レンズ群と、正の屈折力を有する第５レンズ群と、正の屈折力を有する第６レンズ群と、負の屈折力を有する第７レンズ群とから構成されている。
【０１０６】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、物体側に凸面を向けたメニスカスレンズ形状の負レンズＬ１４、両凹負レンズＬ１５及び物体側に凸面を向けたメニスカスレンズ形状の正レンズＬ１６で構成されている。また、第２レンズ群Ｇ２は、両凸正レンズＬ２１、物体側に凹面を向けたメニスカスレンズ形状の正レンズＬ２２、両凸正レンズＬ２３と両凹負レンズＬ２４を接合した接合負レンズで構成されている。また、第３レンズ群Ｇ３は、両凸正レンズＧ３１と両凹負レンズＧ３２を接合した接合負レンズで構成されている。また、第４レンズ群Ｇ４は、物体側に凸面を向けたメニスカスレンズ形状の正レンズＬ４１、物体側に凸面を向けたメニスカスレンズ形状の正レンズＬ４２で構成されている。また、第５レンズ群Ｇ５は、物体側に凸面を向けたメニスカスレンズ形状の負レンズＬ５１と両凸正レンズＬ５２を接合した接合正レンズで構成されている。また、第６レンズ群Ｇ６は、両凸正レンズＬ６１と物体側に凹面を向けたメニスカスレンズ形状の負レンズＬ６２を接合した接合正レンズで構成されている。また、第７レンズ群Ｇ７は、物体側に凹面を向けたメニスカスレンズ形状の正レンズＬ７１と物体側に凹面を向けたメニスカスレンズ形状の負レンズＬ７２を接合した接合負レンズで構成されている。また、開口絞りＳは、第３レンズ群Ｇ３内の両凸正レンズＧ３１の物体側に配置されている。
【０１０７】
この第５実施例に係る変倍光学系では、広角端状態から望遠端状態への変倍に際し、第１レンズ群Ｇ１と第２レンズ群Ｇ２の空気間隔が減少し、第２レンズ群Ｇ２と第３レンズ群Ｇ３の空気間隔が増加し、第３レンズ群Ｇ３と第４レンズ群Ｇ４の空気間隔が増加し、第４レンズ群Ｇ４と第５レンズ群Ｇ５の空気間隔が減少し、第５レンズ群Ｇ５と第６レンズ群Ｇ６の空気間隔が増加し、第６レンズ群Ｇ６と第７レンズ群Ｇ７の空気間隔が減少するように、第１レンズ群Ｇ１は像方向へ移動し、第２レンズ群Ｇ２から第７レンズ群Ｇ７は物体方向へ移動する。なお、開口絞りＳは、変倍に際し第３レンズ群Ｇ３とともに移動する。
【０１０８】
この光学系において、無限遠から至近物点への合焦は、負レンズＬ５１と正レンズＬ５２との接合レンズ及び正レンズＬ６１と負レンズＬ６２との接合レンズをそれぞれ光軸に沿って物体側に移動させることにより行うように構成されている。
【０１０９】
この光学系によって、像面Ｉ上に像が結像されて撮影が行われる。図２１には光学系、及び光学系の像面Ｉが図示されている。
以下の表５に、第５実施例における各諸元の値を示す。
【０１１０】
（表５）第５実施例
（基本諸元）
広角端状態              望遠端状態
f                  12.3                    21.5
2ω               126.6                    91.8
Y                  21.6                    21.6
FNO                 2.8
（面データ）
面番号     r        d           nd           νd  
0（物面） ∞     （可変）
1      57.0032    2.5859    1.804000       46.57 
2      39.1556   10.3437      
3      48.8259    2.5859    1.693500       53.20 
4*     19.0966   15.5155         
5      90.1666    2.0687    1.743200       49.26 
6*     41.3824    9.6242        
7      96.5570    2.0687    1.497820       82.57 
8*     30.6401    8.3594      
9    -120.6719    1.5516    1.456000       91.37 
10      40.3419    0.1000       
11      39.8853    7.5283    1.902650       35.72 
12     893.5053   （可変）       
13      58.7977    5.0000    1.677980       54.89 
14     -90.2943    2.4928  
15       0.0000    5.2166         
16     -30.7660    2.3994    1.618000       63.34 
17     -29.4427    0.1000       
18      67.8365    5.5624    1.497820       82.57 
19     -27.4980    1.0344    1.846660       23.78 
20     318.7015   （可変）       
21（絞り）∞       1.5516    
22      53.5300    5.1719    1.846660       23.80 
23     -38.3786    1.0000    1.790630       44.98 
24      28.2781   （可変）      
25      24.5667    3.4280    1.497820       82.57 
26      43.8414    0.1000       
27      24.5667    3.5616    1.497820       82.57 
28      43.8414   （可変）      
29      34.8771    1.0344    1.902650       35.72 
30      22.7984    5.2844    1.497820       82.57 
31    -190.8229   （可変）    
32      51.5752    9.3952    1.497820       82.57 
33     -18.4971    1.0344    1.804000       46.60 
34     -46.7053   （可変）   
35*   -139.0242    7.8545    1.497820       82.57 
36     -17.5000    1.0344    1.772500       49.62 
37     -82.4256      BF         
像面      ∞
（非球面データ）
第４面
κ ＝-0.652
Ａ4＝-7.70873E-06、Ａ6＝-7.02346E-09、Ａ8＝1.12414E-11、Ａ10＝-5.60027E-14
Ａ12＝0.85100E-16、Ａ14＝-0.43362E-19
第６面
κ ＝-5.794
Ａ4＝3.14615E-05、Ａ6＝-4.78832E-09、Ａ8＝5.01882E-11、Ａ10＝-7.85428E-14
Ａ12＝0.36476E-17、Ａ14＝-0.21719E-19
第８面
κ ＝-1.464
Ａ4＝-7.66203E-06、Ａ6＝4.17937E-09、Ａ8＝4.21806E-11、Ａ10＝-1.10845E-13
Ａ12＝0.10952E-15、Ａ14＝0.47422E-19
第３５面
κ ＝ 0.0000
Ａ4＝-1.04475E-05、Ａ6＝-2.24487E-08、Ａ8＝1.83415E-10、Ａ10＝-6.80286E-13
（レンズ群焦点距離）
レンズ群       始面    終面  群焦点距離
第１レンズ群       1      12     -20.87
第２レンズ群      13      21      69.46
第３レンズ群      22      24    -108.22
第４レンズ群      25      28      53.48
第５レンズ群      29      31      92.01
第６レンズ群      32      34      96.78
第７レンズ群      35      37    -100.84
第１合焦レンズ群  29      31      92.01
第２合焦レンズ群  32      34      96.78
（可変間隔データ）
広角    中間1    中間2     望遠    広角    中間1     中間2    望遠
f      12.3     13.9     17.9     21.5
β       ―       ―       ―       ―     -0.025   -0.025   -0.025   -0.025
d0      0.000    0.000    0.000    0.000  458.975  523.611  685.301  830.920    
d12    28.536   21.017    8.206    1.000   28.536   21.017    8.206    1.000 
d20     0.812    1.869    2.591    2.887    0.812    1.869    2.591    2.887 
d24     0.500    0.627    0.680    0.500    0.500    0.627    0.680    0.500 
d28     6.099    4.571    2.791    1.863    5.625    4.261    2.692    1.846 
d31     1.930    2.677    3.479    3.798    2.318    2.747    3.151    3.328 
d34     1.650    1.420    1.490    1.696    1.735    1.660    1.917    2.184
d37    15.204   18.215   25.075   31.020   15.204   18.215   25.075   31.020
（条件式）
(1)   （−ｆ１）／ｆｗ  ＝  1.70
(2)    ２ωｗ  ＝  126.6
(3)   （Ｌ１ｒ２＋Ｌ１ｒ１）/（Ｌ１ｒ２−Ｌ１ｒ１）  ＝  -5.39
(4)    ｆ２／ｆｗ  ＝  5.65
(5)    Ｂｆｗ／ｆｗ  ＝  1.24
(6)   （−ｆ１）／ｆ２  ＝  0.30
(7)   （Ｌ２ｒ２＋Ｌ２ｒ１）/（Ｌ２ｒ２−Ｌ２ｒ１）  ＝  -2.28
(8)   （Ｌ２ｒ１＋Ｌ１ｒ２）/（Ｌ２ｒ１−Ｌ１ｒ２）  ＝   9.10 
(9)    ｆＬ２／ｆ１  ＝  2.25
(10)   ｆＬ１／ｆ１  ＝  7.97
(11)  ｜ｆＦ１／ｆＦ２｜  ＝  0.95
(12)  −（ｆＦ１／ｆＦ２）  ＝  -0.95
【０１１１】
図２２、及び図２３はそれぞれ、第５実施例に係る光学系の無限遠合焦時における広角端状態、及び望遠端状態の諸収差図であり、諸収差が良好に補正されていることがわかる。
また、図２４、及び図２５はそれぞれ、第５実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【０１１２】
（第６実施例）
図２６は、第６実施例に係る光学系の無限遠合焦状態の断面図である。
本実施例に係る光学系は、物体側から順に、負の屈折力を有する第１レンズ群Ｇ１と、正の屈折力を有する第２レンズ群Ｇ２と、負の屈折力を有する第３レンズ群と、正の屈折力を有する第４レンズ群と、正の屈折力を有する第５レンズ群と、負の屈折力を有する第６レンズ群とから構成されている。
【０１１３】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、物体側に凸面を向けたメニスカスレンズ形状の負レンズＬ１４、両凹負レンズＬ１５及び両凸正レンズＬ１６で構成されている。また、第２レンズ群Ｇ２は、物体側に凸面を向けたメニスカスレンズ形状の負レンズＬ２１と物体側に凸面を向けたメニスカスレンズ形状の正レンズＬ２２を接合した接合正レンズ、両凸正レンズＬ２３と両凹負レンズＬ２４を接合した接合負レンズ、両凸正レンズＬ２５と両凹負レンズＬ２６を接合した接合負レンズ、両凸正レンズＬ２７で構成されている。また、第３レンズ群Ｇ３は、物体側に凸面を向けたメニスカスレンズ形状の負レンズＬ３１で構成されている。また、第４レンズ群Ｇ４は、物体側に凸面を向けたメニスカスレンズ形状の負レンズＬ４１と両凸正レンズＬ４２を接合した接合正レンズで構成されている。また、第５レンズ群Ｇ５は、両凸正レンズＬ５１と物体側に凹面を向けたメニスカスレンズ形状の負レンズＬ５２を接合した接合正レンズで構成されている。また、第６レンズ群Ｇ６は、物体側に凹面を向けたメニスカスレンズ形状の正レンズＬ６１と両凹負レンズＬ６２を接合した接合負レンズで構成されている。また、開口絞りＳは、第２レンズ群Ｇ２内の正レンズＬ２２と両凸正レンズＬ２３の間に配置されている。
【０１１４】
この第６実施例に係る変倍光学系では、広角端状態から望遠端状態への変倍に際し、第１レンズ群Ｇ１と第２レンズ群Ｇ２の空気間隔が減少し、第２レンズ群Ｇ２と第３レンズ群Ｇ３の空気間隔が減少し、第３レンズ群Ｇ３と第４レンズ群Ｇ４の空気間隔が増加し、第４レンズ群Ｇ４と第５レンズ群Ｇ５の空気間隔が増加し、第５レンズ群Ｇ５と第６レンズ群Ｇ６の空気間隔が増加するように、第１レンズ群Ｇ１は像方向へ移動し、第２レンズ群Ｇ２から第６レンズ群Ｇ６は物体方向へ移動する。なお、開口絞りＳは、変倍に際し第２レンズ群Ｇ２とともに移動する。
【０１１５】
この光学系において、無限遠から至近物点への合焦は、正レンズＬ５１と負レンズＬ５２との接合レンズを光軸に沿って物体側に移動させるとともに正レンズＬ６１と負レンズＬ６２との接合レンズを光軸に沿って像側に移動させることにより行うように構成されている。
【０１１６】
この光学系によって、像面Ｉ上に像が結像されて撮影が行われる。図２６には光学系、及び光学系の像面Ｉが図示されている。
以下の表６に、第６実施例における各諸元の値を示す。
【０１１７】
（表６）第６実施例
（基本諸元）
広角端状態              望遠端状態
f                  12.3                    23.3
2ω               123.2                    86.0
Y                  21.6                    21.6
FNO                 2.8
（面データ）
面番号     r        d           nd           νd  
0（物面） ∞     （可変）
1      62.0763    4.8000    1.804000       46.57 
2      38.4678   10.3437    
3      47.8724    3.8000    1.693500       53.20 
4*     19.4726   15.5155        
5      82.0452    3.0000    1.743200       49.26 
6*     38.4338    8.7288       
7     123.8482    2.2000    1.693500       53.20 
8*     33.6111    6.8270      
9    -198.0094    2.0000    1.456000       91.37 
10      53.4287    0.2192      
11      47.3351    8.0000    1.902650       35.72 
12    -198.9493   （可変）     
13       0.0000    0.0000       
14      37.3813    2.0000    1.834807       42.72 
15      22.1025    4.1269    1.623740       47.05 
16     599.3338    1.5000      
17（絞り）∞       1.0000    
18       0.0000    0.0000       
19      38.8499    7.6378    1.497820       82.57 
20     -41.4457    1.0344    1.846660       23.78
21     107.2371    0.6305       
22       0.0000    0.0000      
23      47.7312    5.1719    1.846660       23.80 
24     -41.9875    1.0000    1.790630       44.98 
25      21.5469    0.0000    
26      20.9806    5.0543    1.497820       82.57 
27     -89.8971   （可変）      
28*     86.2409    1.5000    1.806040       40.74 
29      30.9693   （可変）    
30      23.3392    1.0000    1.902650       35.72 
31      20.2744    9.6416    1.497820       82.57 
32     -83.3188   （可変）      
33      45.4381   10.4151    1.497820       82.57 
34     -18.9092    1.5359    1.804000       46.60 
35     -28.5746   （可変）      
36*   -150.2493    4.4214    1.497820       82.57 
37     -24.0507    1.5359    1.772500       49.62 
38      59.6072      BF      
像面      ∞
（非球面データ）
第４面
κ ＝-0.6285
Ａ4＝-3.74219E-06、Ａ6＝-6.54892E-09、Ａ8＝2.69809E-11、Ａ10＝-8.66382E-14
Ａ12＝0.86066E-16、Ａ14＝-0.31372E-19
第６面
κ ＝-3.8972
Ａ4＝2.00509E-05、Ａ6＝9.67128E-09、Ａ8＝-3.84214E-11、Ａ10＝2.17016E-13
Ａ12＝-0.26944E-15、Ａ14＝0.67240E-19
第８面
κ ＝ 0.3692
Ａ4＝-8.94380E-06、Ａ6＝-1.21320E-08、Ａ8＝5.36893E-11、Ａ10＝-2.27166E-13
Ａ12＝0.45637E-15、Ａ14＝-0.35728E-18 
第２８面
κ ＝ 0.0000
Ａ4＝-1.72849E-06、Ａ6＝1.02202E-08、Ａ8＝-6.85068E-11、Ａ10＝0.00000E+00
第３６面
κ ＝ 0.0000
Ａ4＝-2.31259E-05、Ａ6＝-5.14283E-08、Ａ8＝1.88788E-10、Ａ10＝-1.03526E-12 
（レンズ群焦点距離）
レンズ群       始面    終面  群焦点距離
第１レンズ群       1      13     -25.49
第２レンズ群      14      27      49.67
第３レンズ群      28      29     -60.68
第４レンズ群      30      32      41.27
第５レンズ群      33      35      45.28
第６レンズ群      36      38     -35.59
第１合焦レンズ群  33      35      45.28
第２合焦レンズ群  36      38     -35.59
（可変間隔データ）
広角     中間1    中間2     望遠    広角    中間1     中間2    望遠 
f     12.3     13.9     17.9     23.3
β      ―       ―       ―       ―     -0.025   -0.025   -0.025   -0.025
d0     0.000    0.000    0.000    0.000  456.955  521.662  683.254  901.265 
d12   37.942   28.742   13.300    1.000   37.942   28.742   13.300    1.000 
d27    3.291    2.838    2.559    2.389    3.291    2.838    2.559    2.389 
d29    2.317    3.494    3.713    3.462    2.317    3.494    3.713    3.462 
d32    2.197    2.218    2.408    2.063    2.088    2.111    2.304    1.965 
d35    0.102    0.104    0.138    0.244    0.320    0.318    0.346    0.440 
d38   17.704   20.236   25.959   33.842   17.595   20.129   25.855   33.744
（条件式）
(1)   （−ｆ１）／ｆｗ  ＝  2.07
(2)    ２ωｗ  ＝  123.2
(3)   （Ｌ１ｒ２＋Ｌ１ｒ１）/（Ｌ１ｒ２−Ｌ１ｒ１）  ＝  -4.26
(4)    ｆ２／ｆｗ  ＝  4.04
(5)    Ｂｆｗ／ｆｗ  ＝  1.44
(6)   （−ｆ１）／ｆ２  ＝  0.51
(7)   （Ｌ２ｒ２＋Ｌ２ｒ１）/（Ｌ２ｒ２−Ｌ２ｒ１）  ＝  -2.37
(8)   （Ｌ２ｒ１＋Ｌ１ｒ２）/（Ｌ２ｒ１−Ｌ１ｒ２）  ＝   9.18 
(9)    ｆＬ２／ｆ１  ＝  1.96
(10)   ｆＬ１／ｆ１  ＝  5.43 
(11)  ｜ｆＦ１／ｆＦ２｜  ＝  1.27
(12)  −（ｆＦ１／ｆＦ２）  ＝  1.27
【０１１８】
図２７、及び図２８はそれぞれ、第６実施例に係る光学系の無限遠合焦時における広角端状態、及び望遠端状態の諸収差図であり、諸収差が良好に補正されていることがわかる。
また、図２９、及び図３０はそれぞれ、第６実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【０１１９】
（第７実施例）
図３１は、第７実施例に係る光学系の無限遠合焦状態の断面図である。
本実施例に係る光学系は、物体側から順に、負の屈折力を有する第１レンズ群Ｇ１と、正の屈折力を有する第２レンズ群Ｇ２と、負の屈折力を有する第３レンズ群と、正の屈折力を有する第４レンズ群と、正の屈折力を有する第５レンズ群と、正の屈折力を有する第６レンズ群と、負の屈折力を有する第７レンズ群とから構成されている。
【０１２０】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、物体側に凸面を向けたメニスカスレンズ形状の負レンズＬ１４、両凹負レンズＬ１５及び両凸正レンズＬ１６で構成されている。また、第２レンズ群Ｇ２は、両凸正レンズＬ２１、物体側に凹面を向けたメニスカスレンズ形状の正レンズＬ２２、両凸正レンズＬ２３と両凹負レンズＬ２４を接合した接合負レンズで構成されている。また、第３レンズ群Ｇ３は、両凸正レンズＬ３１と両凹負レンズを接合した接合負レンズで構成されている。第４レンズ群Ｇ４は、物体側に凸面を向けたメニスカスレンズ形状の正レンズＬ４１、物体側に凸面を向けたメニスカスレンズ形状の正レンズＬ４２で構成されている。また、第５レンズ群Ｇ５は、物体側に凸面を向けたメニスカスレンズ形状の負レンズＬ５１と両凸正レンズを接合した接合正レンズで構成されている。第６レンズ群Ｇ６は、両凸正レンズＬ６１と物体側に凹面を向けたメニスカスレンズ形状の負レンズＬ６２を接合した接合正レンズで構成されている。また、第７レンズ群Ｇ７は、物体側に凹面を向けたメニスカスレンズ形状の正レンズＬ７１と物体側に凹面を向けたメニスカスレンズ形状の負レンズＬ７２を接合した接合負レンズで構成されている。また、開口絞りＳは、第３レンズ群Ｇ３内の正凸レンズＬ３１の物体側に配置されている。
【０１２１】
この第７実施例に係る変倍光学系では、広角端状態から望遠端状態への変倍に際し、第１レンズ群Ｇ１と第２レンズ群Ｇ２の空気間隔が減少し、第２レンズ群Ｇ２と第３レンズ群Ｇ３の空気間隔が増加し、第３レンズ群Ｇ３と第４レンズ群Ｇ４の空気間隔が増加し、第４レンズ群Ｇ４と第５レンズ群Ｇ５の空気間隔が減少し、第５レンズ群Ｇ５と第６レンズ群Ｇ６の空気間隔が増加し、第６レンズ群Ｇ６と第７レンズ群Ｇ７の空気間隔が減少するように、第１レンズ群Ｇ１は像方向へ移動し、第２レンズ群Ｇ２から第７レンズ群Ｇ７は物体方向へ移動する。なお、開口絞りＳは、変倍に際し第３レンズ群Ｇ３とともに移動する。
【０１２２】
この光学系において、無限遠から至近物点への合焦は、正レンズＬ６１と負レンズＬ６２との接合レンズを光軸に沿って物体側に移動させるとともに正レンズＬ７１と負レンズＬ７２との接合レンズを光軸に沿って像側に移動させることにより行うように構成されている。
【０１２３】
この光学系によって、像面Ｉ上に像が結像されて撮影が行われる。図３１には光学系、及び光学系の像面Ｉが図示されている。
以下の表７に、第７実施例における各諸元の値を示す。
【０１２４】
（表７）第７実施例
（基本諸元）
広角端状態              望遠端状態
f                  12.3                    21.5
2ω               126.5                    92.6
Y                  21.6                    21.6
FNO                 2.8
（面データ）
面番号     r        d           nd           νd  
0（物面） ∞     （可変）
1      56.1975    2.5859    1.804000       46.57 
2      39.1377   10.3437      
3      47.8632    2.5859    1.693500       53.20 
4*     17.4938   15.5155       
5      61.8393    2.0687    1.743200       49.26 
6*     47.7705    9.8148       
7     339.3515    2.0687    1.497820       82.57 
8*     32.0223    8.4787       
9     -88.7656    1.5516    1.456000       91.37 
10      47.6490    0.1000       
11      43.1843    7.2480    1.902650       35.72 
12   -2125.6418   （可変）        
13      55.9225    5.0000    1.677980       54.89 
14     -87.2998    1.2716      
15       0.0000    3.3100       
16     -29.9347    2.8260    1.618000       63.34 
17     -29.3752    2.1651     
18      77.1268    5.8033    1.497820       82.57 
19     -27.6160    1.0344    1.846660       23.78 
20     297.6160   （可変）    
21（絞り）∞       1.5518    
22      46.7649    5.1719    1.846660       23.80 
23     -45.4165    1.0000    1.790630       44.98 
24      24.5158   （可変）     
25      22.2938    3.8856    1.497820       82.57 
26      38.5625    0.7300       
27      22.2938    3.9520    1.497820       82.57 
28      38.5625   （可変）      
29      33.3413    1.0344    1.902650       35.72 
30      23.9938    3.7363    1.497820       82.57 
31    -305.0131   （可変）      
32      45.2142    8.8846    1.497820       82.57 
33     -17.3584    1.0344    1.804000       46.60 
34     -52.6512   （可変）       
35*   -149.2963    7.1718    1.497820       82.57 
36     -17.5000    1.0344    1.772500       49.62 
37     -68.7952      BF        
像面      ∞
（非球面データ） 
第４面
κ ＝-0.7521
Ａ4＝-5.23127E-06、Ａ6＝-2.86027E-10、Ａ8＝1.19543E-11、Ａ10＝-6.30066E-14
Ａ12＝0.74715E-16、Ａ14＝-0.32320E-19 
第６面
κ ＝-4.6145
Ａ4＝2.37756E-05、Ａ6＝-1.02131E-08、Ａ8＝7.10569E-11、Ａ10＝-1.16780E-13
Ａ12＝0.10088E-15、Ａ14＝-0.22119E-19
第８面
κ ＝ 1.0192
Ａ4＝-1.58123E-05、Ａ6＝7.87279E-09、Ａ8＝-3.05529E-11、Ａ10＝1.09571E-13 
Ａ12＝0.20893E-15、Ａ14＝0.47685E-19    
第３５面
κ ＝ 0.0000 
Ａ4＝-1.13706E-05、Ａ6＝-1.63012E-08、Ａ8＝1.35751E-10、Ａ10＝-7.80491E-13
（レンズ群焦点距離）
レンズ群       始面    終面  群焦点距離
第１レンズ群       1      12     -21.43
第２レンズ群      13      21      71.62
第３レンズ群      22      24     -90.98
第４レンズ群      25      28      49.92
第５レンズ群      29      31      83.23
第６レンズ群      32      34     113.06
第７レンズ群      35      37    -129.09
第１合焦レンズ群  32      34     113.06
第２合焦レンズ群  35      37    -129.09
（可変間隔データ）
広角    中間1    中間2     望遠     広角    中間1     中間2    望遠       
f     12.3     13.9     17.9     21.5
β      ―       ―       ―       ―     -0.025   -0.025   -0.025   -0.025
d0     0.000    0.000    0.000    0.000  458.975  523.611  685.301  830.920 
d12   29.032   21.295    8.322    1.000   29.032   21.295    8.322    1.000 
d20    1.910    2.843    3.604    3.983    1.910    2.843    3.604    3.983 
d24    0.513    0.552    0.598    0.500    0.513    0.552    0.598    0.500 
d28    4.414    3.503    2.266    1.500    4.414    3.503    2.266    1.500 
d31    2.873    3.062    3.522    3.866    2.596    2.712    3.110    3.437 
d34    2.220    2.182    1.724    1.279    2.984    2.883    2.383    1.929 
d37   15.395   18.324   25.787   32.470   14.908   17.973   25.540   32.249 
（条件式）
(1)   （−ｆ１）／ｆｗ  ＝  1.74
(2)    ２ωｗ  ＝  126.5
(3)   （Ｌ１ｒ２＋Ｌ１ｒ１）/（Ｌ１ｒ２−Ｌ１ｒ１）  ＝  -5.59
(4)    ｆ２／ｆｗ  ＝  5.82
(5)    Ｂｆｗ／ｆｗ  ＝  1.25
(6)   （−ｆ１）／ｆ２  ＝  0.30
(7)   （Ｌ２ｒ２＋Ｌ２ｒ１）/（Ｌ２ｒ２−Ｌ２ｒ１）  ＝  -2.15
(8)   （Ｌ２ｒ１＋Ｌ１ｒ２）/（Ｌ２ｒ１−Ｌ１ｒ２）  ＝   9.97 
(9)    ｆＬ２／ｆ１  ＝  1.92
(10)   ｆＬ１／ｆ１  ＝  8.02 
(11)  ｜ｆＦ１／ｆＦ２｜  ＝  0.88
(12)  −（ｆＦ１／ｆＦ２）  ＝  0.88
【０１２５】
図３２、及び図３３はそれぞれ、第７実施例に係る光学系の無限遠合焦時における広角端状態、及び望遠端状態の諸収差図であり、諸収差が良好に補正されていることがわかる。
また、図３４、及び図３５はそれぞれ、第７実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【０１２６】
（第８実施例）
図３６は、第８実施例に係る光学系の無限遠合焦状態の断面図である。
本実施例に係る光学系は、物体側から順に、負の屈折力を有する第１レンズ群Ｇ１と、正の屈折力を有する第２レンズ群Ｇ２と、負の屈折力を有する第３レンズ群と、正の屈折力を有する第４レンズ群と、正の屈折力を有する第５レンズ群と、正の屈折力を有する第６レンズ群と、負の屈折力を有する第７レンズ群とから構成されている。
【０１２７】
第１レンズ群Ｇ１は、物体側から順に、物体側に凸面を向けたメニスカスレンズ形状の負レンズＬ１１、物体側に凸面を向けたメニスカスレンズ形状の負レンズＬ１２、物体側に凸面を向けたメニスカスレンズ形状の負レンズＬ１３、物体側に凸面を向けたメニスカスレンズ形状の負レンズＬ１４、両凹負レンズＬ１５及び物体側に凸面を向けたメニスカスレンズ形状の正レンズＬ１６で構成されている。また、第２レンズ群Ｇ２は、両凸正レンズＬ２１、物体側に凹面を向けたメニスカスレンズ形状の正レンズＬ２２、両凸正レンズＬ２３と両凹負レンズＬ２４を接合した接合負レンズで構成されている。また、第３レンズ群Ｇ３は、両凸正レンズＬ３１と両凹負レンズを接合した接合負レンズで構成されている。第４レンズ群Ｇ４は、物体側に凸面を向けたメニスカスレンズ形状の正レンズＬ４１、物体側に凸面を向けたメニスカスレンズ形状の正レンズＬ４２で構成されている。また、第５レンズ群Ｇ５は、物体側に凸面を向けたメニスカスレンズ形状の負レンズＬ５１と両凸正レンズを接合した接合正レンズで構成されている。第６レンズ群Ｇ６は、両凸正レンズＬ６１と物体側に凹面を向けたメニスカスレンズ形状の負レンズＬ６２を接合した接合正レンズで構成されている。また、第７レンズ群Ｇ７は、物体側に凹面を向けたメニスカスレンズ形状の正レンズＬ７１と物体側に凹面を向けたメニスカスレンズ形状の負レンズＬ７２を接合した接合負レンズで構成されている。また、開口絞りＳは、第３レンズ群Ｇ３内の正レンズＬ３１の物体側に配置されている。
【０１２８】
この第８実施例に係る変倍光学系では、広角端状態から望遠端状態への変倍に際し、第１レンズ群Ｇ１と第２レンズ群Ｇ２の空気間隔が減少し、第２レンズ群Ｇ２と第３レンズ群Ｇ３の空気間隔が増加し、第３レンズ群Ｇ３と第４レンズ群Ｇ４の空気間隔が増加し、第４レンズ群Ｇ４と第５レンズ群Ｇ５の空気間隔が減少し、第５レンズ群Ｇ５と第６レンズ群Ｇ６の空気間隔が増加し、第６レンズ群Ｇ６と第７レンズ群Ｇ７の空気間隔が減少するように、第１レンズ群Ｇ１は像方向へ移動し、第２レンズ群Ｇ２から第７レンズ群Ｇ７は物体方向へ移動する。なお、開口絞りＳは、変倍に際し第３レンズ群Ｇ３とともに移動する。
【０１２９】
この光学系において、無限遠から至近物点への合焦は、正レンズＬ６１と負レンズＬ６２との接合レンズを光軸に沿って物体側に移動させることにより行うように構成されている。
【０１３０】
この光学系によって、像面Ｉ上に像が結像されて撮影が行われる。図３６には光学系、及び光学系の像面Ｉが図示されている。
以下の表８に、第８実施例における各諸元の値を示す。
【０１３１】
（表８）第８実施例
（基本諸元）
広角端状態              望遠端状態
f                  12.3                    21.5
2ω               126.5                    91.7
Y                  21.6                    21.6
FNO                 2.8
（面データ）
面番号     r        d           nd           νd  
0（物面） ∞     （可変）
1      57.0463    2.5859    1.804000       46.57
2      39.1707   10.3437      
3      48.8779    2.5859    1.693500       53.20
4*     18.8953   15.5155      
5      89.6883    2.0687    1.743200       49.26
6*     42.5144   10.0206    
7     116.1498    2.0687    1.497820       82.57
8*     31.2733    7.9254  
9    -140.7179    1.5516    1.456000       91.37
10      39.8197    0.1000      
11      39.3289    7.6120    1.902650       35.72
12     796.6359   （可変）     
13      57.0385    5.0000    1.677980       54.89
14     -89.6290    2.3366       
15       0.0000    5.0605      
16     -29.4308    2.3996    1.618000       63.34
17     -28.3356    0.1000      
18      77.0106    5.3623    1.497820       82.57
19     -26.7202    1.0344    1.846660       23.78
20     404.7546   （可変）  
21（絞り）∞       1.5518     
22      58.2996    5.1719    1.846660       23.80
23     -36.2445    1.0000    1.790630       44.98
24      28.5693   （可変）   
25      24.6417    3.4612    1.497820       82.57
26      45.5916    0.1000      
27      24.6417    3.6087    1.497820       82.57
28      45.5916   （可変）    
29      35.4346    1.0344    1.902650       35.72
30      24.3236    4.6376    1.497820       82.57
31   -1192.8465   （可変）     
32      45.2835    9.6972    1.497820       82.57
33     -18.6662    1.0344    1.804000       46.60
34     -47.9210   （可変）      
35*   -523.8408    8.2637    1.497820       82.57
36     -17.5000    1.0344    1.772500       49.62
37    -104.3835      BF        
像面      ∞
（非球面データ）  
第４面
κ ＝ 0.3414
Ａ4＝-8.00292E-06、Ａ6＝-7.70275E-09、Ａ8＝1.17451E-11、Ａ10＝-5.58935E-14 
Ａ12＝0.86393E-16、Ａ14＝-0.44779E-19 
第６面
κ ＝-4.3366
Ａ4＝3.09247E-05、Ａ6＝-5.15554E-10、Ａ8＝4.49113E-11、Ａ10＝-8.34686E-14 
Ａ12＝0.10410E-16、Ａ14＝-0.21719E-19
第８面
κ ＝-0.6249
Ａ4＝-8.19052E-06、Ａ6＝4.90989E-09、Ａ8＝4.75791E-11、Ａ10＝-1.30056E-13 
Ａ12＝0.13181E-15、Ａ14＝0.47422E-19
第３５面
κ ＝ 1.0000
Ａ4＝-1.22858E-05、Ａ6＝-2.24066E-08、Ａ8＝1.68819E-10、Ａ10＝-6.54827E-13
（レンズ群焦点距離）
レンズ群       始面    終面  群焦点距離
第１レンズ群       1      12     -21.07
第２レンズ群      13      21      71.10
第３レンズ群      22      24     -97.13
第４レンズ群      25      28      51.55
第５レンズ群      29      31     105.70
第６レンズ群      32      34      87.86
第７レンズ群      35      37    -108.50
第１合焦レンズ群  32      34      87.86
（可変間隔データ）
広角    中間1    中間2    望遠      広角     中間1    中間2    望遠       
f     12.3     13.9     17.9     21.5
β      ―       ―       ―       ―     -0.025   -0.025   -0.025   -0.025
d0     0.000    0.000    0.000    0.000  458.603  523.043  684.155  829.142 
d12   28.651   20.951    8.126    1.000   28.651   20.951    8.126    1.000 
d20    0.500    1.594    2.330    2.582    0.500    1.594    2.330    2.582 
d24    0.500    0.684    0.709    0.500    0.500    0.684    0.709    0.500 
d28    5.449    4.167    2.465    1.500    5.449    4.167    2.465    1.500 
d31    3.147    3.382    3.914    4.210    2.703    2.933    3.452    3.740 
d34    1.553    1.532    1.615    1.724    1.998    1.981    2.077    2.193 
d37   15.251   18.292   25.234   31.250   15.251   18.292   25.234   31.250 
（条件式）
(1)   （−ｆ１）／ｆｗ  ＝  1.71
(2)    ２ωｗ  ＝  126.5
(3)   （Ｌ１ｒ２＋Ｌ１ｒ１）/（Ｌ１ｒ２−Ｌ１ｒ１）  ＝  -5.38
(4)    ｆ２／ｆｗ  ＝  5.78
(5)    Ｂｆｗ／ｆｗ  ＝  1.24
(6)   （−ｆ１）／ｆ２  ＝  0.30
(7)   （Ｌ２ｒ２＋Ｌ２ｒ１）/（Ｌ２ｒ２−Ｌ２ｒ１）  ＝  -2.26
(8)   （Ｌ２ｒ１＋Ｌ１ｒ２）/（Ｌ２ｒ１−Ｌ１ｒ２）  ＝  9.07 
(9)    ｆＬ２／ｆ１  ＝  2.19
(10)   ｆＬ１／ｆ１  ＝  7.89 
【０１３２】
図３７、及び図３８はそれぞれ、第１実施例に係る光学系の無限遠合焦時における広角端状態、及び望遠端状態の諸収差図であり、諸収差が良好に補正されていることがわかる。
また、図３９、及び図４０はそれぞれ、第１実施例に係る光学系の近距離合焦時（β＝−０．０２５）における広角端状態、及び望遠端状態の諸収差図であり、他の焦点距離同様に、諸収差が良好に補正され優れた結像性能を有していることがわかる。
【符号の説明】
【０１３３】
ＯＬ    変倍光学系
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｆ      合焦レンズ群
Ｓ      開口絞り
Ｉ      像面
【図１】
2020170054.tif 000003
【図２】
2020170054.tif 000004
【図３】
2020170054.tif 000005
【図４】
2020170054.tif 000006
【図５】
2020170054.tif 000007
【図６】
2020170054.tif 000008
【図７】
2020170054.tif 000009
【図８】
2020170054.tif 000010
【図９】
2020170054.tif 000011
【図１０】
2020170054.tif 000012
【図１１】
2020170054.tif 000013
【図１２】
2020170054.tif 000014
【図１３】
2020170054.tif 000015
【図１４】
2020170054.tif 000016
【図１５】
2020170054.tif 000017
【図１６】
2020170054.tif 000018
【図１７】
2020170054.tif 000019
【図１８】
2020170054.tif 000020
【図１９】
2020170054.tif 000021
【図２０】
2020170054.tif 000022
【図２１】
2020170054.tif 000023
【図２２】
2020170054.tif 000024
【図２３】
2020170054.tif 000025
【図２４】
2020170054.tif 000026
【図２５】
2020170054.tif 000027
【図２６】
2020170054.tif 000028
【図２７】
2020170054.tif 000029
【図２８】
2020170054.tif 000030
【図２９】
2020170054.tif 000031
【図３０】
2020170054.tif 000032
【図３１】
2020170054.tif 000033
【図３２】
2020170054.tif 000034
【図３３】
2020170054.tif 000035
【図３４】
2020170054.tif 000036
【図３５】
2020170054.tif 000037
【図３６】
2020170054.tif 000038
【図３７】
2020170054.tif 000039
【図３８】
2020170054.tif 000040
【図３９】
2020170054.tif 000041
【図４０】
2020170054.tif 000042
【図４１】
2020170054.tif 000043
【図４２】
2020170054.tif 000044